(57)【特許請求の範囲】
【請求項１】
内部に、ハロゲン物質が封入され、かつ先端部に突起部が形成されている電極が配置されている発光管を有する高圧放電ランプに対して交流電流を供給して点灯させる点灯装置であって、前記高圧放電ランプの始動動作後は定電流制御を行い、その後、定電力による点灯に移行し、
前記始動動作後から一定期間を除いては前記交流電流の周波数を少なくとも第１の値と前記第１の値よりも可聴感度の高い第２の値とに変調し、
前記始動動作後から一定期間として前記始動動作後から定電力点灯に移行する前の所定時間までの間、
または前記始動動作後から定電力点灯に移行した時点までの間、
または前記始動動作後から定電力点灯に移行した後の所定時間までの間については前記交流電流の周波数の変調制御を禁止し、周波数が前記第２の値よりも低い第３の値の交流電流を供給することを特徴とする高圧放電ランプ点灯装置。
【請求項２】
内部に、ハロゲン物質が封入され、かつ先端部に突起部が形成されている電極が配置されている発光管を有する高圧放電ランプに対して交流電流を供給して点灯させる点灯装置であって、前記高圧放電ランプの始動動作後は定電流制御を行い、その後、定電力による点灯に移行し、
前記始動動作後から一定期間を除いては前記交流電流の周波数を少なくとも第１の値と前記第１の値よりも可聴感度の高い第２の値とに変調し、
前記始動動作後から一定期間として前記始動動作後から６０［ｓ］以上３００［ｓ］以下の範囲内から選択される所定時間までの間については前記交流電流の周波数の変調制御を禁止し、周波数が前記第２の値よりも低い第３の値の交流電流を供給することを特徴とする高圧放電ランプ点灯装置。
【請求項３】
前記第３の値は５０［Ｈｚ］以上２００［Ｈｚ］以下の範囲内から選択されていることを特徴とする請求項１または請求項２に記載の高圧放電ランプ点灯装置。
【請求項４】
前記第２の値は３００［Ｈｚ］以上１０００［Ｈｚ］以下の範囲内から選択されていることを特徴とする請求項１〜請求項３のいずれか１項に記載の高圧放電ランプ点灯装置。
【請求項５】
前記始動動作後から一定期間の経過後、前記高圧放電ランプのランプ電圧が一定の値を下回った場合、前記交流電流の周波数の変調制御を禁止し、周波数が３００［Ｈｚ］以上１０００［Ｈｚ］以下の範囲内から選択される第４の値の交流電流を供給することを特徴とする請求項１〜請求項４のいずれか１項に記載の高圧放電ランプ点灯装置。
【請求項６】
前記第４の値は前記第２の値より１０［Ｈｚ］以上高いことを特徴とする請求項５記載の高圧放電ランプ点灯装置。
【請求項７】
内部に、ハロゲン物質が封入され、かつ先端部に突起部が形成されている電極が配置されている発光管を有する高圧放電ランプに対して交流電流を供給して点灯させる点灯装置であって、前記高圧放電ランプの始動動作後は定電流制御を行い、その後、定電力による点灯に移行し、
前記始動動作後から一定期間を除いては、前記交流電流の周波数を、２０［Ｈｚ］以上２００［Ｈｚ］以下の範囲内から選択された第１の値と、３００［Ｈｚ］以上１０００［Ｈｚ］以下の範囲内から選択された第２の値とに変調し、前記第１の周波数よりも低い周波数であって、５［Ｈｚ］以上１５０［Ｈｚ］以下の範囲内から選択された第３の値の交流電流が前記第２の値の交流電流に割り込んで投入され、
前記第１の値の交流電流において１回当たりの投入周期は０．５周期以上１０周期以内の範囲内であって、前記第２の値の交流電流において１回当たりの投入周期は２周期以上２００周期以内の範囲内であって、前記第３の値の交流電流において１回当たりの投入周期は０．５周期以上１５０周期以内の範囲内であって、前記第３の値の交流電流が前記第２の値の交流電流に割り込んで投入される時間間隔は１３０［ｓ］以上３００［ｓ］以下の範囲内であり、
前記始動動作後から一定期間として前記始動動作後から定電力点灯に移行する前の所定時間までの間、
または前記始動動作後から定電力点灯に移行した時点までの間、
または前記始動動作後から定電力点灯に移行した後の所定時間までの間については前記第３の値の交流電流の割り込み制御も含めて、前記交流電流の周波数の変調制御を禁止し、周波数が５０［Ｈｚ］以上２００［Ｈｚ］以下の範囲内から選択された第４の値の交流電流を供給することを特徴とする高圧放電ランプ点灯装置。
【請求項８】
内部に、ハロゲン物質が封入され、かつ先端部に突起部が形成されている電極が配置されている発光管を有する高圧放電ランプと、
前記高圧放電ランプを点灯させる請求項１〜請求項７のいずれか１項に記載された高圧放電ランプ点灯装置と、を備えたことを特徴とする高圧放電ランプ装置。
【請求項９】
請求項８に記載された高圧放電ランプ装置を備えたことを特徴とするプロジェクタ。
【請求項１０】
内部に、ハロゲン物質が封入され、かつ先端部に突起部が形成されている電極が配置されている発光管を有する高圧放電ランプに対して交流電流を供給して点灯させる点灯装置であって、前記高圧放電ランプの始動動作後は定電流制御を行い、その後、定電力による点灯に移行し、
前記始動動作後から一定期間を除いては前記交流電流の周波数を少なくとも第１の値と前記第１の値よりも可聴感度の高い第２の値とに変調し、
前記始動動作後から一定期間として前記始動動作後から定電力点灯に移行する前の所定時間までの間、
または前記始動動作後から定電力点灯に移行した時点までの間、
または前記始動動作後から定電力点灯に移行した後の所定時間までの間については前記交流電流の周波数の変調制御を禁止し、周波数が前記第２の値よりも低い第３の値の交流電流を供給することを特徴とする高圧放電ランプの点灯方法。
【請求項１１】
内部に、ハロゲン物質が封入され、かつ先端部に突起部が形成されている電極が配置されている発光管を有する高圧放電ランプに対して交流電流を供給して点灯させる点灯装置であって、前記高圧放電ランプの始動動作後は定電流制御を行い、その後、定電力による点灯に移行し、
前記始動動作後から一定期間を除いては前記交流電流の周波数を少なくとも第１の値と前記第１の値よりも可聴感度の高い第２の値とに変調し、前記始動動作後から一定期間として前記始動動作後から６０［ｓ］以上３００［ｓ］以下の範囲内から選択される所定時間までの間については前記交流電流の周波数の変調制御を禁止し、周波数が前記第２の値よりも低い第３の値の交流電流を供給することを特徴とする高圧放電ランプの点灯方法。
【請求項１２】
前記第３の値は５０［Ｈｚ］以上２００［Ｈｚ］以下の範囲内から選択されていることを特徴とする請求項１０または請求項１１に記載の高圧放電ランプの点灯方法。
【請求項１３】
前記第２の値は３００［Ｈｚ］以上１０００［Ｈｚ］以下の範囲内から選択されていることを特徴とする請求項１０〜請求項１２のいずれか１項に記載の高圧放電ランプの点灯方法。
【請求項１４】
前記始動動作後から一定期間の経過後、前記高圧放電ランプのランプ電圧が一定の値を下回った場合、前記交流電流の周波数の変調制御を禁止し、周波数が３００［Ｈｚ］以上１０００［Ｈｚ］以下の範囲内から選択される第４の値の交流電流を供給することを特徴とする請求項１０〜請求項１３のいずれか１項に記載の高圧放電ランプの点灯方法。
【請求項１５】
前記第４の値は前記第２の値より１０［Ｈｚ］以上高いことを特徴とする請求項１４記載の高圧放電ランプの点灯方法。
【請求項１６】
内部に、ハロゲン物質が封入され、かつ先端部に突起部が形成されている電極が配置されている発光管を有する高圧放電ランプに対して交流電流を供給して点灯させる点灯装置であって、前記高圧放電ランプの始動動作後は定電流制御を行い、その後、定電力による点灯に移行し、
前記始動動作後から一定期間を除いては、前記交流電流の周波数を、２０［Ｈｚ］以上２００［Ｈｚ］以下の範囲内から選択された第１の値と、３００［Ｈｚ］以上１０００［Ｈｚ］以下の範囲内から選択された第２の値とに変調し、前記第１の周波数よりも低い周波数であって、５［Ｈｚ］以上１５０［Ｈｚ］以下の範囲内から選択された第３の値の交流電流が前記第２の値の交流電流に割り込んで投入され、
前記第１の値の交流電流において１回当たりの投入周期は０．５周期以上１０周期以内の範囲内であって、前記第２の値の交流電流において１回当たりの投入周期は２周期以上２００周期以内の範囲内であって、前記第３の値の交流電流において１回当たりの投入周期は０．５周期以上１５０周期以内の範囲内であって、前記第３の値の交流電流が前記第２の値の交流電流に割り込んで投入される時間間隔は１３０［ｓ］以上３００［ｓ］以下の範囲内であり、
前記始動動作後から一定期間として前記始動動作後から定電力点灯に移行する前の所定時間までの間、
または前記始動動作後から定電力点灯に移行した時点までの間、
または前記始動動作後から定電力点灯に移行した後の所定時間までの間については前記第３の値の交流電流の割り込み制御も含めて、前記交流電流の周波数の変調制御を禁止し、周波数が５０［Ｈｚ］以上２００［Ｈｚ］以下の範囲内から選択された第４の値の交流電流を供給することを特徴とする高圧放電ランプの点灯方法。
【発明の詳細な説明】
【技術分野】
【０００１】
本発明は、高圧放電ランプ点灯装置、それを用いた高圧放電ランプ装置、その高圧放電ランプ装置を用いたプロジェクタ、および高圧放電ランプの点灯方法に関するものである。
【背景技術】
【０００２】
近時、プロジェクタは、会議等でのプレゼンテーションにパーソナルコンピュータとともに多く利用されている。また、一般家庭においてもホームシアターの用途としてプロジェクタが利用されている。
【０００３】
このようなプロジェクタは、光源からの射出光を画像情報に応じて変調し、その光学像を拡大投射するものであって、その光源として点光源により近く、高輝度で高演色な例えば高圧水銀ランプが使用されている。
【０００４】
具体的にそのような高圧水銀ランプは、内部に発光物質として水銀が例えば２００［ｍｇ／ｃｍ3］以上封入され、かつタングステン製の一対の電極が互いに略対向するように配置された発光管を備えている。また、この発光管内には水銀の他に、いわゆるハロゲンサイクル作用を利用し、点灯中、電極の構成材料であるタングステンが飛散して発光管の内面に付着して黒化するのを防止するべく、ハロゲン物質も封入されている。
【０００５】
ハロゲンサイクル作用によって発光管の内面が黒化するのを防止することができる一方で、電極から飛散したタングステンが再び電極に戻って付着し、その堆積物として突起部が形成されることが知られている。このような突起部は電極の先端部に適正に形成されると、その突起部がアークの輝点となるために安定したアークが得られ、いわゆるアークの輝点移動によるフリッカの発生を防止することができる。
【０００６】
そこで、従来、電極の先端部にアークを安定させる突起部を適正に成長、維持させるために、高圧水銀ランプに供給される交流電流の周波数を変化させることが提案されている（例えば特許文献１等）。
【０００７】
ところで、交流電流の周波数を変化させる方法として、ランプの動作データに依存することなく絶えず周波数を変化させる、すなわち周波数の変調制御が知られている（例えば特許文献２等）。この方法は、突起部が変形した後に制御をかける、いわゆる修復的な制御とは異なり突起部が変形する前から制御をかけるため、初期の突起部の形状を安定的に維持することができるという利点がある。
【０００８】
なお、この種の高圧水銀ランプは次のようにして始動、点灯される。すなわち、例えば高電圧が印加されて放電を開始した後（電極間における絶縁破壊の後）、放電を安定させるべく、一定期間、例えば１０[ｋＨｚ]以上５００[ｋＨｚ]以下の範囲内から選択される高周波電流による定電流制御を行う始動動作が行われ、その始動動作後、周波数が例えば２０［Ｈｚ］以上１０００［Ｈｚ］以下の範囲内から選択される略矩形波電流による定電流制御が行われ、さらにその後、定電力の点灯に移行される。
【特許文献１】特開２００１−３１２９９７号公報
【特許文献２】特許第３８５１３４３号公報
【発明の開示】
【発明が解決しようとする課題】
【０００９】
しかしながら、本発明者らの検討によると、電極の突起部を制御するべく周波数の変調制御をする場合において、組み合わせる周波数の値によっては、ランプが高電圧の印加によって放電を開始し、２０［Ｈｚ］以上１０００［Ｈｚ］以下の略矩形波電流による点灯に移行するまでの始動動作の後からランプが立ち上がるまでのランプ電圧が低い状態、言い換えればランプ電流が高い状態において、高圧放電ランプ点灯装置の電子部品などから耳障りな騒音が発生することが判明した。これを搭載するプロジェクタにおいては、ランプの始動動作後からすぐに映像を投射し始める用途が多いために、快適な視聴環境を実現するためには前記点灯装置からの騒音を可及的に抑制する必要がある。特に、供給される交流電流において可聴感度の高い周波数と低い周波数とに変調させる場合、騒音の発生要因となる周波数が断続的に投入されることになり、これは騒音の発生要因となる周波数一つに固定した場合に連続的に発生する騒音に比して一層耳障りに感じる。とりわけ、プロジェクタの中でも動画とともに音声を投影するものではこの騒音の抑制が強く望まれる。
【００１０】
もちろん、周波数の変調制御を無くせば、この騒音発生は改善するものの、電極の突起部の適正な成長、維持を図ることができなくなり、アークの輝点移動によるフリッカの発生等を招いてしまう。
【００１１】
本発明は、このような事情に鑑みてなされたものであって、電極の突起部の適正な成長、維持を図るべく交流電流の周波数を変調制御する場合であってもなるたけ静音な高圧放電ランプ点灯装置、それを用いた高圧放電ランプ装置、その高圧放電ランプ装置を用いたプロジェクタ、および高圧放電ランプの点灯方法を提供することを目的としている。
【課題を解決するための手段】
【００１２】
本発明は、当該目的を達成するべく、以下のとおりの特徴を備えている。
【００１３】
すなわち、本発明の請求項１に係る高圧放電ランプ点灯装置は、内部に、ハロゲン物質が封入され、かつ先端部に突起部が形成されている電極が配置されている発光管を有する高圧放電ランプに対して交流電流を供給して点灯させる点灯装置であって、前記高圧放電ランプの始動動作後は定電流制御を行い、その後、定電力による点灯に移行し、前記始動動作後から一定期間を除いては前記交流電流の周波数を少なくとも第１の値と前記第１の値よりも可聴感度の高い第２の値とに変調し、前記始動動作後から一定期間として前記始動動作後から定電力点灯に移行する前の所定時間までの間、または前記始動動作後から定電力点灯に移行した時点までの間、または前記始動動作後から定電力点灯に移行した後の所定時間までの間については前記交流電流の周波数の変調制御を禁止し、周波数が前記第２の値よりも低い第３の値の交流電流を供給することを特徴とする。
【００１４】
本発明の請求項２に係る高圧放電ランプ点灯装置は、内部に、ハロゲン物質が封入され、かつ先端部に突起部が形成されている電極が配置されている発光管を有する高圧放電ランプに対して交流電流を供給して点灯させる点灯装置であって、前記高圧放電ランプの始動動作後は定電流制御を行い、その後、定電力による点灯に移行し、前記始動動作後から一定期間を除いては前記交流電流の周波数を少なくとも第１の値と前記第１の値よりも可聴感度の高い第２の値とに変調し、前記始動動作後から一定期間として前記始動動作後から６０［ｓ］以上３００［ｓ］以下の範囲内から選択される所定時間までの間については前記交流電流の周波数の変調制御を禁止し、周波数が前記第２の値よりも低い第３の値の交流電流を供給することを特徴とする。
【００１５】
本発明の請求項３に係る高圧放電ランプ点灯装置は、これら請求項１または請求項２に記載の高圧放電ランプ点灯装置において、前記第３の値は５０［Ｈｚ］以上２００［Ｈｚ］以下の範囲内から選択されていることを特徴とする。
【００１６】
本発明の請求項４に係る高圧放電ランプ点灯装置は、これら請求項１〜請求項３のいずれか１項に記載の高圧放電ランプ点灯装置において、前記第２の値は３００［Ｈｚ］以上１０００［Ｈｚ］以下の範囲内から選択されていることを特徴とする。
【００１７】
本発明の請求項５に係る高圧放電ランプ点灯装置は、これら請求項１〜請求項４のいずれか１項に記載の高圧放電ランプ点灯装置において、前記始動動作後から一定期間の経過後、前記高圧放電ランプのランプ電圧が一定の値を下回った場合、前記交流電流の周波数の変調制御を禁止し、周波数が３００［Ｈｚ］以上１０００［Ｈｚ］以下の範囲内から選択される第４の値の交流電流を供給することを特徴とする。
【００１８】
本発明の請求項６に係る高圧放電ランプ点灯装置は、この請求項５記載の高圧放電ランプ点灯装置において、前記第４の値は前記第２の値より１０［Ｈｚ］以上高いことを特徴とする。
【００１９】
本発明の請求項７に係る高圧放電ランプ点灯装置は、内部に、ハロゲン物質が封入され、かつ先端部に突起部が形成されている電極が配置されている発光管を有する高圧放電ランプに対して交流電流を供給して点灯させる点灯装置であって、前記高圧放電ランプの始動動作後は定電流制御を行い、その後、定電力による点灯に移行し、前記始動動作後から一定期間を除いては、前記交流電流の周波数を、２０［Ｈｚ］以上２００［Ｈｚ］以下の範囲内から選択された第１の値と、３００［Ｈｚ］以上１０００［Ｈｚ］以下の範囲内から選択された第２の値とに変調し、前記第１の周波数よりも低い周波数であって、５［Ｈｚ］以上１５０［Ｈｚ］以下の範囲内から選択された第３の値の交流電流が前記第２の値の交流電流に割り込んで投入され、前記第１の値の交流電流において１回当たりの投入周期は０．５周期以上５周期以内の範囲内であって、前記第２の値の交流電流において１回当たりの投入周期は２周期以上２００周期以内の範囲内であって、前記第３の値の交流電流において１回当たりの投入周期は０．５周期以上１５０周期以内の範囲内であって、前記第３の値の交流電流が前記第２の値の交流電流に割り込んで投入される時間間隔は１３０［ｓ］以上３００［ｓ］以下の範囲内であり、前記始動動作後から一定期間として前記始動動作後から定電力点灯に移行する前の所定時間までの間、または前記始動動作後から定電力点灯に移行した時点までの間、または前記始動動作後から定電力点灯に移行した後の所定時間までの間については前記第３の値の交流電流の割り込み制御も含めて、前記交流電流の周波数の変調制御を禁止し、周波数が５０［Ｈｚ］以上２００［Ｈｚ］以下の範囲内から選択された第４の値の交流電流を供給することを特徴とする。
【００２３】
本発明の請求項８に係る高圧放電ランプ装置は、内部に、ハロゲン物質が封入され、かつ先端部に突起部が形成されている電極が配置されている発光管を有する高圧放電ランプと、前記高圧放電ランプを点灯させる請求項１〜請求項７のいずれか１項に記載された高圧放電ランプ点灯装置とを備えたことを特徴とする。
【００２４】
本発明の請求項９に係るプロジェクタは、請求項８に記載された高圧放電ランプ装置を備えたことを特徴とする。
【００２５】
本発明の請求項１０に係る高圧放電ランプの点灯方法は、内部に、ハロゲン物質が封入され、かつ先端部に突起部が形成されている電極が配置されている発光管を有する高圧放電ランプに対して交流電流を供給して点灯させる点灯装置であって、前記高圧放電ランプの始動動作後は定電流制御を行い、その後、定電力による点灯に移行し、前記始動動作後から一定期間を除いては前記交流電流の周波数を少なくとも第１の値と前記第１の値よりも可聴感度の高い第２の値とに変調し、前記始動動作後から一定期間として前記始動動作後から定電力点灯に移行する前の所定時間までの間、または前記始動動作後から定電力点灯に移行した時点までの間、または前記始動動作後から定電力点灯に移行した後の所定時間までの間については前記交流電流の周波数の変調制御を禁止し、周波数が前記第２の値よりも低い第３の値の交流電流を供給することを特徴とする。
【００２６】
本発明の請求項１１に係る高圧放電ランプの点灯方法は、内部に、ハロゲン物質が封入され、かつ先端部に突起部が形成されている電極が配置されている発光管を有する高圧放電ランプに対して交流電流を供給して点灯させる点灯装置であって、前記高圧放電ランプの始動動作後は定電流制御を行い、その後、定電力による点灯に移行し、前記始動動作後から一定期間を除いては前記交流電流の周波数を少なくとも第１の値と前記第１の値よりも可聴感度の高い第２の値とに変調し、前記始動動作後から一定期間として前記始動動作後から６０［ｓ］以上３００［ｓ］以下の範囲内から選択される所定時間までの間については前記交流電流の周波数の変調制御を禁止し、周波数が前記第２の値よりも低い第３の値の交流電流を供給することを特徴とする。
【００２７】
本発明の請求項１２に係る高圧放電ランプの点灯方法は、これら請求項１０または請求項１１に記載の高圧放電ランプの点灯方法において、前記第３の値は５０［Ｈｚ］以上２００［Ｈｚ］以下の範囲内から選択されていることを特徴とする。
【００２８】
本発明の請求項１３に係る高圧放電ランプの点灯方法は、これら請求項１０〜請求項１２のいずれか１項に記載の高圧放電ランプの点灯方法において、前記第２の値は３００［Ｈｚ］以上１０００［Ｈｚ］以下の範囲内から選択されていることを特徴とする。
【００２９】
本発明の請求項１４に係る高圧放電ランプの点灯方法は、これら請求項１０〜請求項１３のいずれか１項に記載の高圧放電ランプの点灯方法において、前記始動動作後から一定期間の経過後、前記高圧放電ランプのランプ電圧が一定の値を下回った場合、前記交流電流の周波数の変調制御を禁止し、周波数が３００［Ｈｚ］以上１０００［Ｈｚ］以下の範囲内から選択される第４の値の交流電流を供給することを特徴とする。
【００３０】
本発明の請求項１５に係る高圧放電ランプの点灯方法は、この請求項１４記載の高圧放電ランプの点灯方法において、前記第４の値は前記第２の値より少なくとも１０［Ｈｚ］以上高いことを特徴とする。
【００３１】
本発明の請求項１６に係る高圧放電ランプの点灯方法は、内部に、ハロゲン物質が封入され、かつ先端部に突起部が形成されている電極が配置されている発光管を有する高圧放電ランプに対して交流電流を供給して点灯させる点灯装置であって、前記高圧放電ランプの始動動作後は定電流制御を行い、その後、定電力による点灯に移行し、前記始動動作後から一定期間を除いては、前記交流電流の周波数を、２０［Ｈｚ］以上２００［Ｈｚ］以下の範囲内から選択された第１の値と、３００［Ｈｚ］以上１０００［Ｈｚ］以下の範囲内から選択された第２の値とに変調し、前記第１の周波数よりも低い周波数であって、５［Ｈｚ］以上１５０［Ｈｚ］以下の範囲内から選択された第３の値の交流電流が前記第２の値の交流電流に割り込んで投入され、前記第１の値の交流電流において１回当たりの投入周期は０．５周期以上５周期以内の範囲内であって、前記第２の値の交流電流において１回当たりの投入周期は２周期以上２００周期以内の範囲内であって、前記第３の値の交流電流において１回当たりの投入周期は０．５周期以上１５０周期以内の範囲内であって、前記第３の値の交流電流が前記第２の値の交流電流に割り込んで投入される時間間隔は１３０［ｓ］以上３００［ｓ］以下の範囲内であり、前記始動動作後から一定期間として前記始動動作後から定電力点灯に移行する前の所定時間までの間、または前記始動動作後から定電力点灯に移行した時点までの間、または前記始動動作後から定電力点灯に移行した後の所定時間までの間については前記第３の値の交流電流の割り込み制御も含めて、前記交流電流の周波数の変調制御を禁止し、周波数が５０［Ｈｚ］以上２００［Ｈｚ］以下の範囲内から選択された第４の値の交流電流を供給することを特徴とする。
【００３５】
なお、本発明において始動動作後の「定電流制御」とは、電流値を一定にする制御だけを指すのではなく、ランプが立ち上がるまでのランプ電圧が低い状態においてランプに過電流が流れるのを防ぐために電流に制限をかけた制御全般を示す。したがって、電流値が一定でない場合も含む。ただし、ランプが立ち上がった後に行う定電力制御も定電流制御の一つと解される場合があるが、ここでは定電力制御を定電流制御の一つとして含めない。
【発明の効果】
【００３６】
本発明は、交流電流の周波数の制御として始動動作後から一定期間においては変調制御を行うことを禁止し、その一定期間経過後には周波数の変調制御を行うことによって、電極の突起部の制御に悪影響を及ぼすことなく周波数の変調制御に起因する騒音の発生を抑えることができ、なるたけ静音な高圧放電ランプ点灯装置、それを用いた高圧放電ランプ装置、その高圧放電ランプ装置を用いたプロジェクタ、および高圧放電ランプの点灯方法を実現することができるものである。
【発明を実施するための最良の形態】
【００３７】
以下、本発明の最良な実施の形態を、図面を参照して説明する。
【００３８】
（第１の実施形態）
図１は、本発明の第１の実施形態である高圧放電ランプ装置１のブロック図を示す。
【００３９】
図１に示すように、高圧放電ランプ装置１は、外部の交流電源（ＡＣ１００［Ｖ］）に接続されるＤＣ電源回路２から高圧放電ランプ点灯装置３（電子安定器）を介して高圧放電ランプ、例えば高圧水銀ランプ４に接続された構成からなる。
【００４０】
ＤＣ電源回路２は、例えば整流回路（図示せず）を有しており、家庭用の交流電圧（１００［Ｖ］）から一定の直流電圧を生成し、高圧放電ランプ点灯装置３に供給する。
【００４１】
高圧放電ランプ点灯装置３は、主にＤＣ／ＤＣコンバータ５、ＤＣ／ＡＣインバータ６、高電圧発生部７、ランプ電流検出部８、ランプ電圧検出部９、制御回路１０から構成されている。
【００４２】
ＤＣ／ＤＣコンバータ５は、制御回路１０からのＰＷＭ（Ｐｕｌｓｅ  Ｗｉｄｔｈ  Ｍｏｄｕｌａｔｉｏｎ）制御信号を受けて所定の大きさの直流電流をＤＣ／ＡＣインバータ６に供給する。すなわち、安定点灯時（定常点灯時）において高圧水銀ランプ４の光出力を一定に保つべくランプ電力を一定にする制御（定電力制御）を行う必要があるが、制御回路１０はそのためにランプ電流検出部８で検出したランプ電流、およびランプ電圧検出部９で検出したランプ電圧にそれぞれ基づいてマイコン１１によってランプ電力を演算し、それを一定にするようなＰＷＭ制御信号をＰＷＭ制御回路１２からＤＣ／ＤＣコンバータ５に送る。ＤＣ／ＤＣコンバータ５は、それを受けてＤＣ電源回路２からの直流電圧を所定の大きさの直流電流に変換する。ただし、制御回路１０は、ランプの始動動作後からランプが立ち上がるまでのランプ電圧が低い状態、言い換えればランプ電流が高い状態においては定電流制御するようにＰＷＭ制御信号をＤＣ／ＤＣコンバータ５に送る。
【００４３】
ＤＣ／ＡＣインバータ６は、ＤＣ／ＤＣコンバータ５からの直流電流に対して制御回路１０からの制御信号に基づいて所定の周波数の交流電圧および交流電流を生成する。また、ＤＣ／ＡＣインバータ６は、高圧水銀ランプ４の放電開始前には高周波の電圧を発生させるために１０［ｋＨｚ］以上の高周波で動作し、放電開始後に高圧水銀ランプ４の後述する一対の電極１９間が通電した後も放電を安定させるために数秒間は高周波電流を発生し続ける。制御回路１０内の点灯判別回路１３が点灯と検知し、周波数が２０［Ｈｚ］以上１０００［Ｈｚ］以下の範囲内から選択される略矩形波電流による定電流制御の点灯に移行するまでの始動動作が行われた後の一定期間を除いては、所望に応じて所定の周波数に変調させるべく、適時、マイコン１１からＤＣ／ＡＣインバータ６に周波数制御信号が送られる。つまり、制御回路１０は、マイコン１１からの周波数制御信号に基づいて周波数の異なる交流電流を生成するようにＤＣ／ＡＣインバータ６に制御信号を送る。したがって、マイコン１１の設定プログラムを適宜変えることにより所望とする種々の周波数の交流電流を得ることができる。
【００４４】
高電圧発生部７は、例えばトランス（図示せず）を有しており、高圧水銀ランプ４の電極１９間での絶縁破壊を促し、高圧水銀ランプ４を始動させるべく高電圧を発生させて高圧放電ランプ４に印加する。
【００４５】
制御回路１０には、上記したマイコン１１、ＰＷＭ制御回路１２や点灯判別回路１３の他に、タイマー１４等を有している。タイマー１４は点灯判別回路１３による「点灯検知」の後、前記始動動作後からの一定期間までの時間をカウントする。マイコン１１は、このカウントに基づき略矩形波電流の周波数制御（周波数制御信号の出力）を開始する。もちろん、マイコン１１に変調制御を開始させるに当たり、タイマー１４のカウントとは異なる基準で開始させることも公知技術によって可能であり、そのときにはタイマー１４が不要になる場合もある。
【００４６】
次に、一例として定電力１８０［Ｗ］の高圧水銀ランプ４の概略構成について図２を参照して説明する。
【００４７】
図２に示すように、高圧水銀ランプ４の発光管１５は、その容囲器の構成材料が例えば石英ガラスからなり、管中央部の略回転楕円体形状の発光部１６と、この両側からそれぞれ外方向に延在するように連接された略円柱体形状の封止部１７とを有する。
【００４８】
発光部１６の内部（放電空間１８）には、発光物質である水銀（Ｈｇ）と、始動補助用の希ガスとして例えばアルゴンガス（Ａｒ）、クリプトンガス（Ｋｒ）、あるいはキセノンガス（Ｘｅ）またはそれら２種以上の混合ガスと、ハロゲンサイクル作用のためのヨウ素（Ｉ）あるいは臭素（Ｂｒ）、またはそれらの混合物とがそれぞれ所定量封入されている。一例として、水銀の封入量は１５０［ｍｇ／ｃｍ3］以上３９０［ｍｇ／ｃｍ3］の範囲内で、アルゴンガスの封入量（２５℃）は０．０１［ＭＰａ］以上１［ＭＰａ］以下の範囲内で、臭素の封入量は１×１０-10［ｍｏｌ／ｃｍ3］以上１×１０-4［ｍｏｌ／ｃｍ3］の範囲内で、好ましくは１×１０-9［ｍｏｌ／ｃｍ3］以上１×１０-5［ｍｏｌ／ｃｍ3］の範囲内でそれぞれ設定されている。
【００４９】
また、発光部１６内には、一対のタングステン（Ｗ）製の電極１９の一端部側がそれぞれ互いに略対向するように配置されている。一例として、この一対の電極１９間の距離Ｌ（図２参照）は、０．５［ｍｍ］以上２．０［ｍｍ］以下の範囲内で設定される。
【００５０】
電極１９は、図３に示すように、電極棒２０とその一端部に取り付けられた電極コイル２１とからなる。特に電極１９の先端部２２（一端部）は、電極棒２０の一部と電極コイル２１の一部とがそれぞれ一体的に溶融されて例えば略半球状、略球状または略円錐状等の形状に加工されている。また、この電極１９の先端部２２には、点灯中のハロゲンサイクル作用によって、すなわち周波数が２０［Ｈｚ］以上１０００［Ｈｚ］以下の範囲内から選択された略矩形波電流での点灯中、電極１９の構成材料であるタングステンが蒸発した後、ハロゲンによって再び電極１９、特にその先端部２２の頂点部に戻って堆積し、その堆積物からなる突起部２３が機械的加工を行うことなく自己形成される。ここで示す突起部２３は製造工程の点灯工程中に形成させたもので、製品完成時には既に形成された状態にある。前記電極１９間の距離Ｌは、具体的にはこれら突起部２３間の距離を示す。
【００５１】
なお、電極１９の先端部を例えば略半球状、略球状または略円錐状等の形状に形成するに当たり、電極棒２０の一部と電極コイル２１の一部とをそれぞれ溶融させて形成する以外に、予め略半球状、略球状または略円錐状に削り出したもの、またはそのような形状で焼結したものを電極棒２０の先端部に取り付けてもよい。
【００５２】
図２に戻り、電極１９の他端部は、封止部１７に気密に封着されたモリブデン製の金属箔２４を介して外部リード線２５の一端部に接続されている。外部リード線２５の他端部は封止部１７の端面から外部に突出し、図示していない電力供給線または口金等に接続される。
【００５３】
そして、このような高圧水銀ランプ４は、図４に示すように、反射鏡２６内に組み込まれてランプユニット２７を構成する。
【００５４】
すなわち、ランプユニット２７は、図４に示すように、上記した高圧水銀ランプ４と、内面が凹面の反射面２８を有する基体がガラスまたは金属からなる反射鏡２６とを備えており、この反射鏡２６内に高圧水銀ランプ４がその長手方向の中心軸Ｘと反射鏡２６の光軸Ｙとが略一致するように組み込まれ、高圧水銀ランプ４からの射出光が反射面２８により反射されるように構成されている。
【００５５】
高圧水銀ランプ４には、発光管１５の一方の封止部１７に、電源接続用端子２９が付設された円筒形の口金３０が装着されている。一方の封止部１７から外部に導出した外部リード線２５が電源接続用端子２９に接続されている。他方の外部リード線２５には電力供給線３１が接続されている。
【００５６】
そして、この高圧水銀ランプ４は、口金３０が反射鏡２６のネック部３２内に挿入され、かつ接着剤３３を介して固着されている。このとき、電力供給線３１は、反射鏡２６に設けられた貫通孔３４に挿通される。
【００５７】
なお、反射面２８は、例えば回転楕円体面や回転放物体面からなり、多層干渉膜等が蒸着されている。
【００５８】
次に、本実施形態に係る高圧放電ランプ点灯装置３の動作例について図１、図２および図５のフローチャートを参照して説明する。図５は、高圧放電ランプ点灯装置３における交流電流の周波数の制御内容を示すフローチャートである。ただし、図５のフローチャートにおいて後述する始動動作は省略している（以下、後述するその他のフローチャートについても同じである）。
【００５９】
（１）まず、高圧水銀ランプ４を放電開始させるための点灯スイッチ（図示せず）をオンにすると、高電圧発生部７から例えば３［ｋＶ］、１００［ｋＨｚ］の高周波の高電圧が高圧水銀ランプ４に印加される。
【００６０】
（２）高圧水銀ランプ４における電極１９間において絶縁破壊が起こると電極１９間に高周波のアーク放電電流が通電し始める。すなわち、高圧水銀ランプ４は放電を開始する。放電開始後も一定の期間、当該高周波の出力が高圧水銀ランプ４に印加され続ける。その後、さらに放電を安定させるべく電極１９のウォームアップ期間として、例えば２［ｓ］間は１０［ｋＨｚ］以上５００［ｋＨｚ］以下の範囲内から選択される高周波電流による定電流制御の点灯、すなわち高周波動作を維持する。この２［ｓ］を経過すると同時に当該高周波動作を終了し、いわゆる始動動作を完了する。
【００６１】
なお、上記始動動作において、高圧水銀ランプ４を放電開始させるための高電圧発生部７からの出力は高周波の高電圧に限定されるものでなく、これに代えて公知の間欠発振型の高電圧パルスを用いてもよい。また、放電開始後のアーク放電を安定させる方法についても当該高周波動作に限るものでなく、これに代えて公知の直流動作または２０[Ｈｚ]未満の低周波電流による定電流制御の動作を用いてもよい。
【００６２】
（３−１）始動動作後、周波数が２０［Ｈｚ］以上１０００［Ｈｚ］以下の範囲内から選択される略矩形波電流による定電流制御（例えば３［Ａ］一定）の点灯（以下、「低周波動作」という）に移行する。ただし、定電流制御として３［Ａ］一定の例を挙げているが、ここでの「定電流制御」 は上述したとおり単に電流値を一定にする制御だけを指すのではなく、ランプが立ち上がるまでのランプ電圧が低い状態においてランプに過電流が流れるのを防ぐために電流に制限をかけた制御全般を示す（以下、全て同じである）。
【００６３】
制御回路１０は水銀の蒸発に伴ってランプ電圧が上昇して所定の電圧（例えば６０［Ｖ］）に到達するまでこの定電流制御（例えば３［Ａ］一定）を行う。その一方で点灯判別回路１３は、ランプ電流検出部８によるランプ電流の検出信号に基づき「点灯検知」を行い、「始動動作後」か否かを判別する。そして、図５に示すように低周波動作への移行と同時にタイマー１４がカウントを開始（Ｓ１１）し、周波数が後述する第２の値（例えば３４０［Ｈｚ］）よりも低い第３の値、例えば１７０［Ｈｚ］に固定された交流電流を高圧水銀ランプ４に供給する（Ｓ１２）。ここで、タイマー１４のタイマー時間は例えば１００［ｓ］に設定されており、タイマー時間が１００［ｓ］を経過するまでは供給する交流電流の周波数を後述するような変調制御させずに、第３の値（１７０［Ｈｚ］）に維持する（Ｓ１３：ＮＯ）。このタイマー時間１００［ｓ］は、図６に示すように、始動動作後（コールドスタート）から定電力（１８０［Ｗ］）による点灯に移行する前の所定時間までの間の時間として設定されている。もちろん、「始動動作後から定電力点灯に移行する前の所定時間までの間」とした場合における「所定時間」とは後述するようになるたけ静音にするという観点から長い方が好ましく、その下限値として例えば始動動作後から６０［ｓ］以上であることが好ましい。ただし、始動動作後から定電力（１８０［Ｗ］）による点灯に移行する時点までの時間は、その高圧水銀ランプ４の仕様上決定される固有の値であって実験の積み重ねから求められ、ここでは１２０［ｓ］である。もっとも、実際には個々の高圧水銀ランプ４によってばらつくこともあり、またホットスタートさせた場合等の種々の条件によっては、始動動作後から定電力点灯に移行するまでの時間は異なることがあるが、大きく異なることはなく後述する作用効果に影響しない。
【００６４】
なお、本実施形態を含む後述する実施形態において高圧水銀ランプ４に供給される交流電流は、具体的に略矩形波電流である。ここでの「略矩形波電流」とは、完全な矩形波をなす電流はもちろんのこと、オーバーシュート等によって歪を有する矩形波のものも含むことを意味する。また、高圧水銀ランプ４のアークの輝点移動を抑制する点灯方法として、従来より矩形波電流を基にその半周期毎の極性反転前にパルス電流を重畳したり、矩形波電流を基にその半周期毎において時間とともに電流値が増大するように傾斜をつけたり、矩形波電流を基にその半周期毎の極性反転直前または直後に高周波が１周期付加され、かつ付加した波形の後半の半周期のランプ電流のみに、付加する直前の電流値より高くする交流波形が知られているが、それらの交流電流もここでは「略矩形波電流」として含む。ここで、略矩形波電流の周波数とは、基にしたとみなされる矩形波電流の周波数を指す。
【００６５】
また、図６は横軸に点灯経過時間［ｓ］、縦軸にランプ電力［Ｗ］をそれぞれ示す。後述する図７および図８についても同じである。
【００６６】
（４−１）タイマー１４のカウントが１００［ｓ］を経過すると（Ｓ１３：ＹＥＳ）、供給する交流電流の周波数を第３の値（１７０［Ｈｚ］）の固定値から、第１の値（例えば６０［Ｈｚ］）と第２の値（例えば３４０［Ｈｚ］）との変調制御に切り替え（Ｓ１４）、その後、消灯（点灯スイッチＯＦＦ）されるまでこの変調制御を維持する。一方、図６に示すようにこのタイマー１４のカウントとは関係なく、ランプ電圧が上昇して所定の電圧値（例えば６０［Ｖ］）に達すると、ランプ電力を一定（１８０［Ｗ］）とする定電力制御に移行する。すなわち、制御回路１０は、ランプ電流検出部８で検出された電流値と、ランプ電圧検出部９で検出された電圧値とにそれぞれ基づきマイコン１１によってランプ電力を演算し、定電力になるようにＤＣ／ＤＣコンバータ５にＰＷＭ制御信号を送り、ＤＣ／ＤＣコンバータ５の出力電流を制御する。
【００６７】
ところで、周波数が第３の値（１７０［Ｈｚ］）の交流電流を供給する始動動作後からの一定期間としては、上記した「始動動作後から定電力点灯に移行する前の所定時間までの間」に限らず、例えば図７に示すように「始動動作後から定電力点灯に移行した時点までの間」であったり、「始動動作後から定電力点灯に移行した後の所定時間までの間」、例えば図８に示すように始動動作後から１６０［ｓ］であったりしてもよい。図７および図８に示す場合の動作例における交流電流の周波数の制御内容を示すフローチャートをそれぞれ図９および図１０に示す。以下、これら変形例についての詳細を説明する。
【００６８】
（変形例１）
（３−２）図７および図９に示す動作例の場合でも、上記した（１）および（２）のステップの後、すなわち始動動作後、前記低周波動作に移行する。制御回路１０は水銀の蒸発に伴ってランプ電圧が上昇して所定の電圧（例えば６０［Ｖ］）に到達するまでこの定電流制御（例えば３［Ａ］一定）を行う。また、その供給する交流電流は周波数が後述する第２の値（例えば３４０［Ｈｚ］）よりも低い第３の値、例えば１７０［Ｈｚ］に固定された交流電流である（Ｓ２１）。
【００６９】
（４−２）その後、図５および図６に示す動作例（ステップ（３−１））とは異なり、図９に示すように始動動作後からランプ電圧が所定の値（例えば６０［Ｖ］）まで上昇してランプ電力を一定とする定電力制御に移行すると同時に（Ｓ２２：ＹＥＳ）、供給する交流電流の周波数を第３の値（例えば１７０［Ｈｚ］）の固定値から、第１の値（例えば６０［Ｈｚ］）と第２の値（例えば３４０［Ｈｚ］）との変調制御に切り替え（Ｓ２３）、その後、消灯（点灯スイッチＯＦＦ）されるまでこの変調制御を維持する。ただし、始動動作後からランプ電圧が所定の値（例えば６０［Ｖ］）に達するまでは、高圧水銀ランプ４に対して第３の値（例えば１７０［Ｈｚ］）の周波数の交流電流を供給し続ける。
【００７０】
（変形例２）
（３−３）一方、図８および図１０に示す動作例の場合でも、上記した（１）および（２）のステップの後、すなわち始動動作後、前記低周波動作に移行する。制御回路１０は水銀の蒸発に伴ってランプ電圧が上昇して所定の電圧（例えば６０［Ｖ］）に到達するまでこの定電流制御（例えば３［Ａ］一定）を行う。このとき、図１０に示すように始動動作後と同時にタイマー１４がカウントを開始（Ｓ３１）し、周波数が後述する第１の値（例えば６０［Ｈｚ］）よりも高く、かつ第２の値（例えば３４０［Ｈｚ］）よりも低い第３の値、例えば１７０［Ｈｚ］に固定された交流電流を高圧水銀ランプ４に供給する（Ｓ３２）。ここで、タイマー１４のタイマー時間は例えば１６０［ｓ］に設定されており、タイマー時間が１６０［ｓ］を経過するまでは供給する交流電流の周波数を後述するような変調制御させずに、第３の値（１７０［Ｈｚ］）に維持する（Ｓ３３：ＮＯ）。このタイマー時間１６０［ｓ］は、図８に示すように、始動動作後（コールドスタート）から定電力（１８０［Ｗ］）による点灯に移行した後の所定時間までの間の時間として設定されている。もちろん、「始動動作後から定電力点灯に移行した後の所定時間までの間」とした場合における「所定時間」は後述するように電極１９の突起部２３の成長、維持を適正に行うという観点からあまり長くない方が好ましく、その上限値として例えば始動動作後から３００［ｓ］以下であることが好ましい。
【００７１】
（４−３）タイマー１４のカウントが１６０［ｓ］を経過すると（Ｓ３３：ＹＥＳ）、供給する交流電流の周波数を第３の値（１７０［Ｈｚ］）の固定値から、第１の値（例えば６０［Ｈｚ］）と第２の値（例えば３４０［Ｈｚ］）との変調制御に切り替え（Ｓ３４）、その後、消灯（点灯スイッチＯＦＦ）されるまでこの変調制御を維持する。
【００７２】
ただし、図８に示すようにこのタイマー１４のカウントとは関係なく、ランプ電圧が上昇して所定の電圧値（例えば６０［Ｖ］）に達すると、ランプ電力を一定（１８０［Ｗ］）とする定電力制御に移行する。
【００７３】
ここで、交流電流の周波数における第１の値および第２の値としては上記した一例（変形例を含む）に限らず、電極１９の突起部２３の形状維持を適正に行うために、第１の値として２０［Ｈｚ］以上２００［Ｈｚ］以下の範囲内から、第２の値として３００［Ｈｚ］以上１０００［Ｈｚ］以下の範囲内からそれぞれ選択されることが好ましい。第１の値が当該範囲内に設定されることによって突起部２３の成長を促進させる作用を生じさせ、第２の値が当該範囲内に設定されることによって突起部２３の成長を適度に抑制させる作用を生じさせ、両者を切り替える、すなわち変調させることで、突起部２３の成長の促進と抑制のバランスが適正に保たれ、突起部２３の形状を長時間に亘って維持することができる。
【００７４】
また、交流電流の周波数における第３の値としても上記した一例（変形例を含む）に限らず、後述する理由により、５０［Ｈｚ］以上２００［Ｈｚ］以下の範囲内から選択されることが好ましい。
【００７５】
本発明の第１の実施形態である高圧放電ランプ装置１は、上述したとおりの係る特徴を有する高圧放電ランプ点灯装置３を備えているので、次のような作用効果を発揮することができる。
【００７６】
すなわち、（ａ）始動動作後から定電力点灯に移行する前の所定時間までの間、（ｂ）始動動作後から定電力点灯に移行した時点までの間、または（ｃ）始動動作後から定電力点灯に移行した後の所定時間までの間は、電極１９の突起部２３の成長、維持を適正に行うための交流電流の周波数の変調制御を禁止しているので、もともと可聴感度の高い第２の値（３４０［Ｈｚ］）の周波数が含まれて騒音となり得るだけでなく、それが第２の値よりも可聴感度の低い第１の値（６０［Ｈｚ］）の周波数と交互に繰り返されて断続的に現れることにより、非常に耳障りな騒音に発展して発生するのを抑えることができる。よって、なるたけ静音を実現することができる。もちろん、この間に交流電流の周波数を変調制御しても突起部２３の制御にはさほど寄与しないので、突起部２３がもたらす効果に悪影響を及ぼさない。そして、これら一定期間の経過後には交流電流の周波数の変調制御を行うことによって突起部２３の成長、維持を適正に行うことができ、その結果、アークの輝点移動によるフリッカの発生を防止することができ、またアークが初期の位置からずれることによる反射鏡２６からの射出光の低下を抑えることができる。
【００７７】
ここで、交流電流の周波数における第３の値としては、騒音の発生を十分に抑え、かつ突起部２３が変形または蒸発消滅することのない、５０［Ｈｚ］以上２００［Ｈｚ］以下の範囲内から選択されることが好ましい。すなわち、可聴感度の高低は、例えば図１１に示す等ラウドネス曲線やＩＳＯ  ２２６で規格された指標に基づいて判断することができる。本発明者らは、これらの指標を参考にしつつ、実際に被験者を用いた評価を行った結果、第３の値の好適例として２００［Ｈｚ］以下に設定されることが望ましいことを見出した。等ラウドネス曲線によれば第３の値は低ければ低いほど可聴感度は低くなるが、一方、始動動作後の定電流制御時にはそのランプ電流の値が定電力制御時のランプ電流の値よりも高く、それに伴って電極１９の温度も過度に上昇しており、この状況下で固定周波数である第３の値が低すぎると、電極１９の温度が極度に上昇して突起部２３が変形または蒸発消滅するおそれがある。これに対しては、交流電流の周波数の変調制御が禁止されている期間、第３の値の好適例として５０［Ｈｚ］以上に設定することにより、電極１９の極度な温度上昇を抑えることができ、突起部２３が変形または蒸発消滅するのを確実に防止することができる。
【００７８】
（第２の実施形態）
次に、本発明の第２の実施形態である高圧放電ランプ装置１は、始動動作後から一定期間の経過後、すなわち（ａ）始動動作後から定電力点灯に移行する前の所定時間までの間、（ｂ）始動動作後から定電力点灯に移行した時点までの間、または（ｃ）始動動作後から定電力点灯に移行した後の所定時間までの間の経過後、高圧水銀ランプ４のランプ電圧が一定の値を下回った場合、交流電流の周波数の変調制御を禁止し、周波数が３００［Ｈｚ］以上１０００［Ｈｚ］以下の範囲内から選択される第４の値の交流電流を供給する点を除いては上記した本発明の第１の実施形態である高圧放電ランプ装置１と同じ構成を有している。したがって、以下、主にその異なる構成の詳細について説明し、それ以外の構成については省略する。
【００７９】
具体例として、本実施形態に係る高圧放電ランプ点灯装置３の動作について図１、図２および図１２のフローチャートを参照して説明する。図１２は、高圧放電ランプ点灯装置３における交流電流の周波数の制御内容を示すフローチャートである。
【００８０】
（１）まず、高圧水銀ランプ４を点灯させるための点灯スイッチ（図示せず）をオンにすると、高電圧発生部７から例えば３［ｋＶ］、１００［ｋＨｚ］の高周波の高電圧が高圧水銀ランプ４に印加される。
【００８１】
（２）高圧水銀ランプ４における電極１９間において絶縁破壊が起こると、その電極１９間においてアーク放電電流が流れ出し、前記高周波動作による約２［ｓ］ 間の電極ウォームアップ期間を経て始動動作を完了する。
【００８２】
（３−１）始動動作後、前記低周波動作に移行する。制御回路１０は水銀の蒸発に伴ってランプ電圧が上昇して所定の電圧（例えば６０［Ｖ］）に到達するまでこの定電流制御（例えば３［Ａ］一定）を行う。その一方で点灯判別回路１３は、ランプ電流検出部８によるランプ電流の検出信号に基づき「点灯検知」を行い、「始動動作後」か否かを判別する。そして、図１２に示すように前記低周波動作への移行と同時にタイマー１４がカウントを開始（Ｓ４１）し、周波数が後述する第２の値（例えば３４０［Ｈｚ］）よりも低い第３の値、例えば１７０［Ｈｚ］に固定された交流電流を高圧水銀ランプ４に供給する（Ｓ４２）。ここで、タイマー１４のタイマー時間は例えば１００［ｓ］に設定されており、タイマー時間が１００［ｓ］を経過するまでは供給する交流電流の周波数を後述するような変調制御させずに、第３の値（１７０［Ｈｚ］）に維持する（Ｓ４３：ＮＯ）。このタイマー時間１００［ｓ］は、始動動作後（コールドスタート）から定電力（１８０［Ｗ］）による点灯に移行する前の所定時間までの間の時間として設定されている。ここでも、「始動動作後から定電力点灯に移行する前の所定時間までの間」とした場合における「所定時間」とはなるたけ静音にするという観点から長い方が好ましく、その下限値として例えば始動動作後から６０［ｓ］以上であることが好ましい。
【００８３】
（４−１）タイマー１４のカウントが１００［ｓ］を経過すると（Ｓ４３：ＹＥＳ）、供給する交流電流の周波数を第３の値（１７０［Ｈｚ］）の固定値から、第１の値（例えば６０［Ｈｚ］）と第２の値（例えば３４０［Ｈｚ］）との変調制御に切り替え（Ｓ４４）、その後、高圧水銀ランプ４のランプ電圧が一定の値（例えば５７［Ｖ］）を下回らない限り（Ｓ４５：ＹＥＳ）、消灯（点灯スイッチＯＦＦ）されるまでこの変調制御を維持する。一方、その後、高圧水銀ランプ４の突起部２３が成長しすぎて電極間距離が小さくなったためにランプ電圧が一定の値（例えば５７［Ｖ］）を下回った場合（Ｓ４５：ＮＯ）、交流電流の周波数の変調制御を禁止し、交流電流の周波数を３００［Ｈｚ］以上１０００［Ｈｚ］以下の範囲内から選択される第４の値（例えば３９０［Ｈｚ］）に切り替えて維持する（Ｓ４６）。さらにその後、ランプ電圧が一定の値（５７［Ｖ］、実地的には回路動作の安定のためにヒステリシスを例えば３Ｖ設定して６０［Ｖ］）以上、になると（Ｓ４５：ＹＥＳ）、交流電流の周波数を第４の値（３９０［Ｈｚ］）の固定値から、再び第１の値（６０［Ｈｚ］）と第２の値（３４０［Ｈｚ］）との変調制御に切り替える（Ｓ４４）。
【００８４】
ただし、このタイマー１４のカウントとは関係なく、ランプ電圧が上昇して所定の電圧値（例えば６０［Ｖ］）に達すると、ランプ電力を一定（１８０［Ｗ］）とする定電力制御に移行する。
【００８５】
また、本発明の第２の実施形態である高圧放電ランプ装置１においても、上記した本発明の第１の実施形態である高圧放電ランプ装置１と同様に、供給する交流電流の周波数を第３の値（１７０［Ｈｚ］）に維持する始動動作後からの一定期間としては、上記した「（ａ）始動動作後から定電力点灯に移行する前の所定時間までの間」に限らず、図１３に示すように「（ｂ）始動動作後から定電力点灯に移行した時点までの間」であったり、図１４に示すように「（ｃ）始動動作後から定電力点灯に移行した後の所定時間までの間」であったりしてもよい。これら変形例についての詳細は次のとおりである。
【００８６】
（変形例３）
（３−２）図１３に示す動作例の場合でも、上記した（１）および（２）のステップの後、すなわち始動動作後、前記低周波動作に移行する。制御回路１０は水銀の蒸発に伴ってランプ電圧が上昇して所定の電圧（例えば６０［Ｖ］）に到達するまでこの定電流制御（例えば３［Ａ］一定）を行う。また、その供給する交流電流は周波数が後述する第２の値（例えば３４０［Ｈｚ］）よりも低い第３の値、例えば１７０［Ｈｚ］に固定された交流電流である（Ｓ５１）。
【００８７】
（４−２）その後、図１２に示す動作例（ステップ（３−１））とは異なり、図１３に示すように始動動作後からランプ電圧が所定の値（例えば６０［Ｖ］）まで上昇してランプ電力を定電力に一定とする定電力制御に移行すると同時に（Ｓ５２：ＹＥＳ）、供給する交流電流の周波数を第３の値（例えば１７０［Ｈｚ］）の固定値から、第１の値（例えば６０［Ｈｚ］）と第２の値（例えば３４０［Ｈｚ］）との変調制御に切り替え（Ｓ５３）、その後、高圧水銀ランプ４のランプ電圧が一定の値（例えば５７［Ｖ］）を下回らない限り（Ｓ５４：ＹＥＳ）、消灯（点灯スイッチＯＦＦ）されるまでこの変調制御を維持する。一方、その後、高圧水銀ランプ４の突起部２３が成長しすぎて電極間距離が小さくなったためにランプ電圧が一定の値（例えば５７［Ｖ］）を下回った場合（Ｓ５４：ＮＯ）、交流電流の周波数の変調制御を禁止し、交流電流の周波数を３００［Ｈｚ］以上１０００［Ｈｚ］以下の範囲内から選択される第４の値（例えば３９０［Ｈｚ］）に切り替えて維持する（Ｓ５５）。さらにその後、ランプ電圧が一定の値（５７［Ｖ］、実地的には回路動作の安定のためにヒステリシスを例えば３Ｖ設定して６０［Ｖ］）以上になると（Ｓ５４：ＹＥＳ）、交流電流の周波数を第４の値（３９０［Ｈｚ］）の固定値から、再び第１の値（６０［Ｈｚ］）と第２の値（３４０［Ｈｚ］）との変調制御に切り替える（Ｓ５３）。
【００８８】
ただし、始動動作後からランプ電圧が所定の値（例えば６０［Ｖ］）に達するまでは、高圧水銀ランプ４に対して第３の値（例えば１７０［Ｈｚ］）の周波数の交流電流を供給し続ける。
【００８９】
（変形例４）
（３−３）一方、図１４に示す動作例の場合でも、上記した（１）および（２）のステップの後、始動動作後、前記低周波動作に移行する。制御回路１０は水銀の蒸発に伴ってランプ電圧が上昇して所定の電圧（例えば６０［Ｖ］）に到達するまでこの定電流制御（例えば３［Ａ］一定）を行う。このとき、図１４に示すように前記低周波動作への移行と同時にタイマー１４がカウントを開始（Ｓ６１）し、周波数が後述する第２の値（例えば３４０［Ｈｚ］）よりも低い第３の値、例えば１７０［Ｈｚ］に固定された交流電流を高圧水銀ランプ４に供給する（Ｓ６２）。ここで、タイマー１４のタイマー時間は例えば１６０［ｓ］に設定されており、タイマー時間が１６０［ｓ］を経過するまでは供給する交流電流の周波数を後述するような変調制御せずに、第３の値（１７０［Ｈｚ］）に維持する（Ｓ６３：ＮＯ）。このタイマー時間１６０［ｓ］は、始動動作後（コールドスタート）から定電力（１８０［Ｗ］）による点灯に移行した後の所定時間までの間の時間として設定されている。ここでも「始動動作後から定電力点灯に移行した後の所定時間までの間」とした場合における「所定時間」は後述するように電極１９の突起部２３の成長、維持を適正に行うという観点からあまり長くない方が好ましく、その上限値として例えば始動動作後から３００［ｓ］以下であることが好ましい。
【００９０】
（４−３）タイマー１４のカウントが１６０［ｓ］を経過すると（Ｓ６３：ＹＥＳ）、供給する交流電流の周波数を第３の値（１７０［Ｈｚ］）の固定値から、第１の値（例えば６０［Ｈｚ］）と第２の値（例えば３４０［Ｈｚ］）との変調制御に切り替え（Ｓ６４）、その後、高圧水銀ランプ４のランプ電圧が一定の値（例えば５７［Ｖ］）を下回らない限り（Ｓ６５：ＹＥＳ）、消灯（点灯スイッチＯＦＦ）されるまでこの変調制御を維持する。一方、その後、高圧水銀ランプ４の突起部２３が成長しすぎて電極間距離が小さくなったためにランプ電圧が一定の値（例えば５７［Ｖ］）を下回った場合（Ｓ６５：ＮＯ）、交流電流の周波数の変調制御を禁止し、交流電流の周波数を３００［Ｈｚ］以上１０００［Ｈｚ］以下の範囲内から選択される高い第４の値（例えば３９０［Ｈｚ］）に切り替えて維持する（Ｓ６６）。さらにその後、ランプ電圧が一定の値（５７［Ｖ］、実地的には回路動作の安定のためにヒステリシスを例えば３Ｖ設定して６０［Ｖ］）以上になると（Ｓ６５：ＹＥＳ）、交流電流の周波数を第４の値（３９０［Ｈｚ］）の固定値から、再び第１の値（６０［Ｈｚ］）と第２の値（３４０［Ｈｚ］）との変調制御に切り替える（Ｓ６４）。
【００９１】
ただし、このタイマー１４のカウントとは関係なく、ランプ電圧が上昇して所定の電圧値（例えば６０［Ｖ］）に達すると、ランプ電力を一定（１８０［Ｗ］）とする定電力制御に移行する。
【００９２】
ここで、交流電流の周波数における第１の値および第２の値としては上記した一例（変形例を含む）に限らず、電極１９の突起部２３の形状維持を適正に行うために、第１の値として２０［Ｈｚ］以上２００［Ｈｚ］以下の範囲内から、第２の値として３００［Ｈｚ］以上１０００［Ｈｚ］以下の範囲内からそれぞれ選択されることが好ましい。第１の値が当該範囲内に設定されることによって突起部２３の成長を促進させる作用を生じさせ、第２の値が当該範囲内に設定されることによって突起部２３の成長を適度に抑制させる作用を生じさせ、両者を切り替える、すなわち変調させることで、突起部２３の成長の促進と抑制のバランスが適正に保たれ、突起部２３の形状を長時間に亘って維持することができる。
【００９３】
また、交流電流の周波数における第３の値としても上記した一例（変形例を含む）に限らず、５０［Ｈｚ］以上２００［Ｈｚ］以下の範囲内から選択されることが好ましい。
【００９４】
さらに、上述したように交流電流の周波数の変調制御を禁止し、交流電流の周波数を３００［Ｈｚ］以上１０００［Ｈｚ］以下の範囲内から選択される高い第４の値に切り替えるタイミングは高圧水銀ランプ４のランプ電圧に基づいているが、その具体的な値については５７［Ｖ］に限るものではなく、またその後、再度変調動作に切り替えるタイミングも６０［Ｖ］に限るものではなく、その後高圧水銀ランプ４の定電力等の各種仕様によって適宜設定されるものである。
【００９５】
本発明の第２の実施形態である高圧放電ランプ装置１は、上述したとおりの係る特徴を有する高圧放電ランプ点灯装置３を備えているので、本発明の第１の実施形態の高圧放電ランプ装置１と同様に次のような作用効果を発揮することができる。
【００９６】
すなわち、（ａ）始動動作後から定電力点灯に移行する前の所定時間までの間、（ｂ）始動動作後から定電力点灯に移行した時点までの間、または（ｃ）始動動作後から定電力点灯に移行した後の所定時間までの間は、電極１９の突起部２３の成長、維持を適正に行うための交流電流の周波数の変調制御を禁止しているので、もともと可聴感度の高い第２の値（３４０［Ｈｚ］）の周波数が含まれて騒音となり得るだけでなく、それが第２の値よりも可聴感度の低い第１の値（６０［Ｈｚ］）の周波数と交互に繰り返されて断続的に現れることにより、非常に耳障りな騒音に発展して発生するのを抑えることができる。よって、なるたけ静音を実現することができる。もちろん、この間に交流電流の周波数の変調制御をしても突起部２３の制御にはさほど寄与しないので、突起部２３がもたらす効果に悪影響を及ぼさない。そして、これら一定期間の経過後には交流電流の周波数の変調制御を行うことによって突起部２３の成長、維持を適正に行うことができ、その結果、アークの輝点移動によるフリッカの発生を防止することができ、またアークが初期の位置からずれることによる反射鏡２６からの射出光の低下を抑えることができる。
【００９７】
ところで、特に累積点灯時間の初期段階（例えば５００時間以内）においてはハロゲンサイクル作用が活発に働いており、この段階でランプの高圧水銀ランプ４の周囲温度が何らかの環境変化で変動した場合などにおいては、電極１９の突起部２３が成長し過ぎて電極１９間の距離Ｌが所望とする範囲よりも小さくなり、高圧水銀ランプ４のランプ電圧が頻繁にまたは長時間に亘って所望とする値よりも低くなる低電圧状態に陥る場合がある。
【００９８】
そこで、高圧水銀ランプ４のランプ電圧が一定の値（例えば５７［Ｖ］）を下回った場合のような低電圧状態に陥ったときでも、周波数が３００［Ｈｚ］以上１０００［Ｈｚ］以下の範囲内から選択される第４の値（例えば３９０［Ｈｚ］）の交流電流を供給することにより、電極１９の突起部２３の成長を抑止することができる。
【００９９】
なお、交流電流の周波数における第４の値として３９０［Ｈｚ］を採用したが、これは高圧水銀ランプ４の仕様上決定される値であって実験的に導出されるものである。その導出された値以上で１０００［Ｈｚ］以下の範囲内から選択される値であれば上記と同様の作用効果を得られる。第１の実施の形態で示した本発明が想定している高圧水銀ランプ４の仕様範囲においては第４の値として適切とされる周波数範囲は３００［Ｈｚ］以上１０００［Ｈｚ］以下になる。
【０１００】
ここで、交流電流の周波数における第２の値と第４の値の違いについて述べる。共に適切とされる周波数範囲は３００［Ｈｚ］以上１０００［Ｈｚ］以下と同じ範囲であるが、各々目的とする作用が異なるために実際に決定される値は異なる。前述のように第２の値は突起部２３の成長を適度に抑制させる作用であるのに対して、第４の値は突起部２３の成長を抑止する作用を目的とする。したがって、第２の値より第４の値の方が突起部２３の成長がより抑制される必要があり、各々の確実な作用を得るために実際に決定される値は、相対的に見て第２の値より第４の値の方が高い周波数となる。第４の値は第２の値より１０［Ｈｚ］以上高くすることが好ましい。
【０１０１】
また、交流電流の周波数における第３の値としては、上述したとおり騒音の発生を十分に抑え、かつ突起部２３が変形または蒸発消滅するのを確実に防止するために、５０［Ｈｚ］以上２００［Ｈｚ］以下の範囲内から選択されることが好ましい。
【０１０２】
（第３の実施形態）
次に、本発明の第３の実施形態である高圧放電ランプ装置１は、始動動作後から一定期間を除いては交流電流の周波数を少なくとも第１の値と第１の値よりも可聴感度の高い第２の値とに変調し、始動動作後から一定期間として始動動作後から６０［ｓ］以上３００［ｓ］以下の範囲内から選択される所定時間までの間については交流電流の周波数の変調制御を禁止し、交流電流の周波数を第２の値よりも低い第３の値に維持する点を除いては上記した本発明の第１の実施形態である高圧放電ランプ装置１と同じ構成を有している。したがって、以下、主にその異なる構成の詳細について説明し、それ以外の構成については省略する。
【０１０３】
具体例として、本実施形態に係る高圧放電ランプ点灯装置３の動作について図１、図２および図１５のフローチャートを参照して説明する。図１５は、高圧放電ランプ点灯装置３における交流電流の周波数の制御内容を示すフローチャートである。
【０１０４】
（１）まず、高圧水銀ランプ４を点灯させるための点灯スイッチ（図示せず）をオンにすると、高電圧発生部７から例えば３［ｋＶ］、１００［ｋＨｚ］の高周波の高電圧が高圧水銀ランプ４に印加される。
【０１０５】
（２）高圧水銀ランプ４における電極１９間において絶縁破壊が起こると、その電極１９間においてアーク放電電流が流れ出し、前記高周波動作による約２［ｓ］間の電極ウォームアップ期間を経て始動動作を完了する。
【０１０６】
（３）始動動作後、前記低周波動作に移行する。制御回路１０は水銀の蒸発に伴ってランプ電圧が上昇して所定の電圧（例えば６０［Ｖ］）に到達するまでこの定電流制御（例えば３［Ａ］一定）を行う。その一方で点灯判別回路１３は、ランプ電流検出部８によるランプ電流の検出信号に基づき「点灯検知」を行い、「始動動作後」か否かを判別する。そして、図１５に示すように前記低周波動作への移行と同時にタイマー１４がカウントを開始（Ｓ７１）し、周波数が後述する第２の値（例えば３４０［Ｈｚ］）よりも低い第３の値、例えば１７０［Ｈｚ］に固定された交流電流を高圧水銀ランプ４に供給する（Ｓ７２）。ここで、タイマー１４のタイマー時間は例えば２００［ｓ］に設定されており、タイマー時間が２００［ｓ］を経過するまでは供給する交流電流の周波数を後述するような変調制御させずに、第３の値（１７０［Ｈｚ］）に維持する（Ｓ７３：ＮＯ）。
【０１０７】
（４）タイマー１４のカウントが２００［ｓ］を経過すると（Ｓ７３：ＹＥＳ）、供給する交流電流の周波数を第３の値（１７０［Ｈｚ］）の固定値から、第１の値（例えば６０［Ｈｚ］）と第２の値（例えば３４０［Ｈｚ］）との変調制御に切り替え（Ｓ７４）、その後、消灯（点灯スイッチＯＦＦ）されるまでこの変調制御を維持する。
【０１０８】
ただし、このタイマー１４のカウントとは関係なく、ランプ電圧が上昇して所定の電圧値（例えば６０［Ｖ］）に達すると、ランプ電力を一定（１８０［Ｗ］）とする定電力制御に移行する。
【０１０９】
ここで、上記したとおり始動動作後から一定期間までは、交流電流の周波数の変調制御を禁止し、交流電流の周波数を第２の値（３４０［Ｈｚ］）よりも低い第３の値（１７０［Ｈｚ］）に維持するべくタイマー１４のカウント時間が例えば２００［ｓ］に設定されているが、このカウント時間としては始動動作後から６０［ｓ］以上３００［ｓ］以下の範囲内から選択することができる。この範囲内であれば、高圧水銀ランプ４における電極１９間の距離Ｌ、水銀の封入量、および電極１９の寸法等の各種仕様に関係することなく、後述する作用効果を発揮することができると実験の積み重ねからわかった。
【０１１０】
また、交流電流の周波数における第１の値および第２の値としては上記した一例に限らず、電極１９の突起部２３の形状維持を適正に行うために、第１の値として２０［Ｈｚ］以上２００［Ｈｚ］以下の範囲内から、第２の値として３００［Ｈｚ］以上１０００［Ｈｚ］以下の範囲内からそれぞれ選択されることが好ましい。第１の値が当該範囲内に設定されることによって突起部２３の成長を促進させる作用を生じさせ、第２の値が当該範囲内に設定されることによって突起部２３の成長を適度に抑制させる作用を生じさせ、両者を切り替える、すなわち変調させることで、突起部２３の成長の促進と抑制のバランスが適正に保たれ、突起部２３の形状を長時間に亘って維持することができる。
【０１１１】
また、交流電流の周波数における第３の値としても上記した一例に限らず、後述する理由により、５０［Ｈｚ］以上２００［Ｈｚ］以下の範囲内から選択されることが好ましい。
【０１１２】
また、上記した動作例では、交流電流の周波数を変調制御に切り替えた後、高圧水銀ランプ４のランプ電圧に依存することなく、その変調制御が維持されるが、その変形例として図１６に示すように前記始動動作後から一定期間の経過後、高圧水銀ランプ４のランプ電圧が一定の値（例えば５７［Ｖ］）を下回った場合（Ｓ７５：ＮＯ）、交流電流の周波数の変調制御を禁止し、交流電流の周波数を３００［Ｈｚ］以上１０００［Ｈｚ］以下の範囲内から選択される高い第４の値（例えば３９０［Ｈｚ］）に切り替えて維持し（Ｓ７６）、さらにその後、ランプ電圧が一定の値（５７［Ｖ］、実地的には回路動作の安定のためにヒステリシスを例えば３Ｖ設定して６０［Ｖ］）以上になると（Ｓ７５：ＹＥＳ）、交流電流の周波数を第４の値（３９０［Ｈｚ］）の固定値から、再び第１の値（６０［Ｈｚ］）と第２の値（３４０［Ｈｚ］）との変調制御に切り替える（Ｓ７４）動作を付加してもよい。これにより、高圧水銀ランプ４のランプ電圧が一定の値（例えば５７［Ｖ］）を下回った場合でも、上記した本発明の第２の実施形態である高圧放電ランプ装置１と同様に、電極１９の温度が極度に上昇し、突起部２３が変形または蒸発消滅するのを防止することができる。その際、交流電流の周波数における第４の値として上記した一例に限らず、３００［Ｈｚ］以上１０００［Ｈｚ］以下の範囲内から選択される場合でも同様の作用効果を得ることができる。もちろん、上述した理由により、第４の値は第２の値より１０［Ｈｚ］以上高いことが好ましい。
【０１１３】
本発明の第３の実施形態である高圧放電ランプ装置１は、上述したとおりの係る特徴を有する高圧放電ランプ点灯装置３を備えているので、本発明の第１の実施形態である高圧放電ランプ装置１と同様に次のような作用効果を発揮することができる。
【０１１４】
すなわち、始動動作後から６０［ｓ］以上３００［ｓ］以下の範囲内から選択される所定時間までの間は、電極１９の突起部２３の成長、維持を適正に行うための交流電流の周波数の変調制御を禁止しているので、もともと可聴感度の高い第２の値（３４０［Ｈｚ］）の周波数が含まれて騒音となり得るだけでなく、それが第１の値（６０［Ｈｚ］）の周波数と交互に繰り返されて断続的に現れることにより、非常に耳障りな騒音に発展して発生するのを抑えることができる。よって、なるたけ静音を実現することができる。もちろん、この間に交流電流の周波数の変調制御をしても突起部２３の制御にはさほど寄与しないので、突起部２３がもたらす効果に悪影響を及ぼさない。そして、これら一定期間の経過後には交流電流の周波数の変調制御を行うことによって突起部２３の成長、維持を適正に行うことができ、その結果、アークの輝点移動によるフリッカの発生を防止することができ、またアークが初期の位置からずれることによる反射鏡２６からの射出光の低下を抑えることができる。
【０１１５】
ここで、交流電流の周波数における第３の値としては、上述したとおり騒音の発生を十分に抑え、かつ突起部２３が変形または蒸発消滅するのを確実に防止するために、５０［Ｈｚ］以上２００［Ｈｚ］以下の範囲内から選択されることが好ましい。
【０１１６】
（第４の実施形態）
次に、本発明の第４の実施形態である高圧放電ランプ装置１は、高圧放電ランプ点灯装置３における動作が異なる点を除いては上記した本発明の第１の実施形態である高圧放電ランプ装置１と同じ構成を有している。したがって、以下、主にその異なる構成（動作例）の詳細について説明し、それ以外の構成については省略する。
【０１１７】
具体例として、本実施形態に係る高圧放電ランプ点灯装置３の動作について図１、図２および図１７のフローチャートを参照して説明する。図１７は、高圧放電ランプ点灯装置３における交流電流の周波数の制御内容を示すフローチャートである。
【０１１８】
（１）まず、高圧水銀ランプ４を点灯させるための点灯スイッチ（図示せず）をオンにすると、高電圧発生部７から例えば３［ｋＶ］、１００［ｋＨｚ］の高周波の高電圧が高圧水銀ランプ４に印加される。
【０１１９】
（２）高圧水銀ランプ４における電極１９間において絶縁破壊が起こると、その電極１９間においてアーク放電電流が流れ出し、前記高周波動作による約２［ｓ］間の電極ウォームアップ期間を経て始動動作を完了する。
【０１２０】
（３−１）始動動作後、前記低周波動作に移行する。制御回路１０は水銀の蒸発に伴ってランプ電圧が上昇して所定の電圧（例えば６０［Ｖ］）に到達するまでこの定電流制御（例えば３［Ａ］一定）を行う。その一方で点灯判別回路１３は、ランプ電流検出部８によるランプ電流の検出信号に基づき「点灯検知」を行い、「始動動作後」か否かを判別する。そして、図１７に示すように前記低周波動作への移行と同時にタイマー１４がカウントを開始（Ｓ８１）し、５０［Ｈｚ］以上２００［Ｈｚ］以下の範囲内から選択された、例えば１７０［Ｈｚ］の第４の周波数に固定された交流電流（第４の値の交流電流）を高圧水銀ランプ４に供給する（Ｓ８２）。ここで、タイマー１４のタイマー時間は例えば１１０［ｓ］に設定されており、タイマー時間が１１０［ｓ］を経過するまでは第４の周波数（１７０［Ｈｚ］）の交流電流を供給し続ける（Ｓ８３：ＮＯ）。このタイマー時間１１０［ｓ］は、始動動作後（コールドスタート）から定電力（１８０［Ｗ］）による点灯に移行する前の所定時間までの間の時間として設定されている。ここでも、「始動動作後から定電力点灯に移行する前の所定時間までの間」とした場合における「所定時間」とはなるたけ静音にするという観点から長い方が好ましく、その下限値として例えば始動動作後から６０［ｓ］以上であることが好ましい。ただし、始動動作後から定電力（１８０［Ｗ］）による点灯に移行する時点は、その高圧水銀ランプ４の仕様上決定される固有の値であって、実験の積み重ねから求められ、ここでは１２０［ｓ］である。もっとも、実際には個々の高圧水銀ランプ４によってばらつくこともあり、またホットスタートさせた場合等の種々の条件によっては、始動動作後から定電力点灯に移行するまでの時間は異なることがあるが、大きく異なることはなく後述する作用効果に影響しない。
【０１２１】
（４−１）タイマー１４のカウントが１１０［ｓ］を経過すると（Ｓ８３：ＹＥＳ）、供給する交流電流を第４の周波数（１７０［Ｈｚ］）の交流電流から、周波数を変調制御した交流電流に切り替え（Ｓ８４）、その後、消灯（点灯スイッチＯＦＦ）されるまでその交流電流を供給し続ける。一方、このタイマー１４のカウントとは関係なく、ランプ電圧が上昇して所定の電圧値（例えば６０［Ｖ］）に達すると、ランプ電力を一定（１８０［Ｗ］）とする定電力制御に移行する。すなわち、制御回路１０は、ランプ電流検出部８で検出された電流値と、ランプ電圧検出部９で検出された電圧値とにそれぞれ基づきマイコン１１によってランプ電力を演算し、定電力になるようにＤＣ／ＤＣコンバータ５にＰＷＭ制御信号を送り、ＤＣ／ＤＣコンバータ５の出力電流を制御する。
【０１２２】
ここで、その交流電流とは、図１８に示すように、周波数が２０［Ｈｚ］以上２００［Ｈｚ］以下の範囲内から選択された第１の周波数の電流（第１の値の交流電流）と、周波数が３００［Ｈｚ］以上１０００［Ｈｚ］以下の範囲内から選択された第２の周波数の電流と（第２の値の交流電流）が、各々所定周期が投入されるごとに切り替えられ、第１の周波数よりも低い周波数であって、５［Ｈｚ］以上１５０［Ｈｚ］以下の範囲内から選択された第３の周波数の電流（第３の値の交流電流）が、第２の周波数の電流の周期に割り込んで所定周期投入される。第３の周波数の電流は第２の周波数の電流の周期が投入されるごとに毎回割り込むものではなく所定の時間間隔を持って割り込みに入るものとする。
【０１２３】
そして、第１の周波数の電流において、１回当たりの投入周期は０．５周期以上１０周期以内の範囲内であって、第２の周波数の電流において、１回当たりの投入周期は２周期以上２００周期以内の範囲内であって、また第３の周波数の電流において、１回当たりの投入周期は０．５周期以上１５０周期以内の範囲内であり、第３の周波数の電流が第２の周波数の電流に割り込みに入る時間間隔ｔ1は１３０［ｓ］以上３００［ｓ］以下の範囲内である。ただし、時間間隔ｔ1は、第３の周波数の電流の１回当たりの投入周期の始点から次に第３の周波数の電流が投入されたときの投入周期の始点までの間隔をいう。
【０１２４】
なお、図１８に示した一例では、第１の周波数の電流の１回当たりの投入周期は０．５周期、第２の周波数の電流の１回当たりの投入周期は１０周期、第３の周波数の電流の１回当たりの投入周期は０．５周期である。ただし、第２の周波数の電流は第３の周波数の電流が投入されるときのみ一時的に２０周期投入されており、第３の周波数の電流は第２の周波数の電流の投入周期を２等分するように割り込んでいる。このように、周波数が２０［Ｈｚ］以上２００［Ｈｚ］以下の範囲内から選択された第１の周波数の電流が、１回当たりの投入周期が０．５周期以上１０周期以内の範囲で投入されることによって、電極１９の突起部２３の成長を促進させる作用を生じ、その後、周波数が３００［Ｈｚ］以上１０００［Ｈｚ］以下の範囲内から選択された第２の周波数の電流が、１回当たりの投入周期が２周期以上２００周期以内の範囲内で投入されることによって、突起部２３の成長を適度に抑制させる作用を生じ、各々交互に切り替える、すなわち変調させることによって、突起部２３の成長の促進と抑制のバランスが適正に保たれ、突起部２３の形状を長時間に亘って維持することができる。
【０１２５】
ところで、特に累積点灯時間の初期段階（例えば５００時間以内）においてはハロゲンサイクル作用が活発に働いており、この段階でランプの高圧水銀ランプ４の周囲温度が何らかの環境変化で変動した場合などにおいては、突起部２３が成長しすぎて電極１９間の距離が所望とする範囲よりも小さくなり、ランプ電圧が頻繁にまたは長時間に亘って低電圧状態に陥る場合がある。
【０１２６】
これに対して、上述したように、第１の周波数よりも低い周波数であって、５［Ｈｚ］以上１５０［Ｈｚ］以下の範囲内から選択された第３の周波数の電流が、第２の周波数の電流の周期に割り込んで所定周期投入され、ただし第３の周波数の電流は第２の周波数の電流の周期が投入されるごとに毎回割り込むものではなく所定の時間間隔を持って割り込みに入り、また第３の周波数の電流において、１回当たりの投入周期は２周期以上２００周期以内の範囲内であり、第３の周波数の電流が第２の周波数の電流に割り込みに入る時間間隔ｔ1は１３０［ｓ］以上３００［ｓ］以下の範囲内であるという条件の下で発生しているので、そもそも累積点灯時間の初期段階において突起部２３が成長しすぎること自体が抑制されることになる。つまり、第３の周波数の電流の投入により、電極１９の先端部２２の温度を適度な間隔を開けて瞬間的に上昇させることができるので、一時的に突起部２３の蒸発傾向が増し、換言すれば（突起部２３を形成するタングステンの堆積量）＜（突起部２３を形成するタングステンの蒸発量）の関係となり、突起部２３の部分的な消失が引き起こされて過度な成長を抑制することができる。よって、特に累積点灯時間が初期段階において、ランプ電圧が頻繁にまたは長時間に亘って低電圧状態に陥るのを抑制することができる。この場合において、特に、突起部２３の部分的な消失を確実に引き起こして過度な成長を抑制するために、第３の周波数を第１の周波数より５［Ｈｚ］以上低くすることが好ましい。
【０１２７】
第１の周波数の電流において、（１）その周波数が２０［Ｈｚ］未満であったり、１回当たりに投入される周期が１０周期を超えたりすると、直流点灯的要素が強まり電極１９の先端部２２の陽極加熱が起こり、その温度が必要以上に高くなりすぎて突起部２３の成長作用が損なわれ、突起部２３が変形または蒸発消滅する場合が起こり得る。一方、（２）その周波数が２００［Ｈｚ］を超えたり、１回当たりに投入される周期が０．５周期未満だったりすると、上述とは逆に直流点灯的要素が弱まりすぎて電極１９の先端部２２の温度が十分に高くならず、よって突起部２３の成長作用が損なわれ、突起部２３が変形または消滅する場合が起こり得る。したがって、第１の周波数の電流において、周波数を２０［Ｈｚ］以上２００［Ｈｚ］以下の範囲内とし、１回当たりの投入周期を０．５周期以上５周期以内の範囲内に設定している。
【０１２８】
第２の周波数の電流において、（１）その周波数が１０００［Ｈｚ］を超えたり、１回当たりに投入される周期が２００周期を超えたりすると、高周波点灯的要素が強まり蒸発したタングステンのイオンが電極１９の突起部２３に戻る作用が弱まりすぎて、つまり突起部２３の成長を抑制させる作用が強まりすぎて、タングステンのイオンが電極１９の先端部２２以外の部位に堆積するようになりよって先端部２２の全体形状を変形させてしまう場合が起こり得る。一方、（２）その周波数が３００［Ｈｚ］未満であったり、１回当たりに投入される周期が２周期未満だったりすると、高周波点灯的要素が弱まりすぎて電極１９の突起部２３の成長を抑制させる作用が得られなくなり、突起部２３の成長が過剰になり、電極間距離の異常短縮してしまう場合が起こり得る。したがって、第２の周波数の電流において、周波数を３００［Ｈｚ］以上１０００［Ｈｚ］以下の範囲内とし、１回当たりの投入周期を２周期以上２００周期以内の範囲内に設定している。
【０１２９】
第３の周波数の電流において、（１）その周波数が５［Ｈｚ］未満であったり、１回当たりに投入される周期が１５０周期を超えたり、第２の周波数の電流に割り込みに入る時間間隔ｔ1が１３０［ｓ］未満であったりすると、電極１９の先端部２２の温度の瞬間的な上昇が過剰になり、突起部２３のみならず電極１９の全体形状をまで変形または蒸発消滅する場合が起こり得る。一方、（２）その周波数が１５０［Ｈｚ］を超えたり、１回当たりに投入される周期が０．５周期未満だったり、第２の周波数の電流に割り込みに入る時間間隔ｔ1が３００［ｓ］を超えたりすると、電極１９の先端部２２の温度を瞬間的に上昇させることができなくなり、所望とする部分的な消失を起こさせることができない状態になっている場合が起こり得る。したがって、第３の周波数の電流において、周波数を５［Ｈｚ］以上１５０［Ｈｚ］以下の範囲内とし、１回当たりの投入周期を０．５周期以上１５０周期以内の範囲内に設定している。
【０１３０】
また、本発明の第４の実施形態である高圧放電ランプ装置１においても、上記した本発明の第１の実施形態である高圧放電ランプ装置１と同様に、第４の周波数（１７０［Ｈｚ］）の交流電流を供給する始動動作後からの一定期間としては、上記した「（ａ）始動動作後から定電力点灯に移行する前の所定時間までの間」に限らず、図１９に示すように「（ｂ）始動動作後から定電力点灯に移行した時点までの間」であったり、図２０に示すように「（ｃ）始動動作後から定電力点灯に移行した後の所定時間までの間」であったりしてもよい。これら変形例についての詳細は次のとおりである。
【０１３１】
（変形例５）
（３−２）図１９に示す動作例の場合でも、上記した（１）および（２）のステップの後、すなわち始動動作後、前記低周波動作に移行する。制御回路１０は水銀の蒸発に伴ってランプ電圧が上昇して所定の電圧（例えば６０［Ｖ］）に到達するまでこの定電流制御（例えば３［Ａ］一定）を行う。その間、５０［Ｈｚ］以上２００［Ｈｚ］以下の範囲内から選択された、例えば１７０［Ｈｚ］の第４の周波数に固定された交流電流を高圧水銀ランプ４に供給される（Ｓ９１）。
【０１３２】
（４−２）その後、始動動作後からランプ電圧が所定の値（例えば６０［Ｖ］）まで上昇してランプ電力を定電力に一定とする定電力制御に移行すると同時に（Ｓ９２：ＹＥＳ）、供給する交流電流を第４の周波数（１７０［Ｈｚ］）の交流電流から、周波数を変調制御した交流電流に切り替え（Ｓ９３）、その後、消灯（点灯スイッチＯＦＦ）されるまでその交流電流を供給し続ける。もちろん、その交流電流とは、上記と同じ、周波数が２０［Ｈｚ］以上２００［Ｈｚ］以下の範囲内から選択された第１の周波数の電流と、周波数が３００［Ｈｚ］以上１０００［Ｈｚ］以下の範囲内から選択された第２の周波数の電流が、各々所定周期が投入されるごとに切り替えられ、第１の周波数よりも低い周波数であって、５［Ｈｚ］以上１５０［Ｈｚ］以下の範囲内から選択された第３の周波数の電流が、第２の周波数の電流の周期に割り込んで所定周期投入される。第３の周波数の電流は第２の周波数の電流の周期が投入されるごとに毎回割り込むものではなく所定の時間間隔を持って割り込みに入るものとする。そして、第１の周波数の電流において、１回当たりの投入周期は０．５周期以上１０周期以内の範囲内であって、第２の周波数の電流において、１回当たりの投入周期は２周期以上２００周期以内の範囲内であって、また第３の周波数の電流において、１回当たりの投入周期は０．５周期以上１５０周期以内の範囲内であり、第３の周波数の電流が第２の周波数の電流に割り込みに入る時間間隔ｔ1は１３０［ｓ］以上３００［ｓ］以下の範囲内である。
【０１３３】
（変形例６）
（３−３）一方、図２０に示す動作例の場合でも、上記した（１）および（２）のステップの後、すなわち始動動作後、前記低周波動作に移行する。制御回路１０は水銀の蒸発に伴ってランプ電圧が上昇して所定の電圧（例えば６０［Ｖ］）に到達するまでこの定電流制御（例えば３［Ａ］一定）を行う。その一方で点灯判別回路１３は、ランプ電流検出部８によるランプ電流の検出信号に基づき「点灯検知」を行い、「始動動作後」か否かを判別する。そして、図２０に示すように前記低周波動作への移行と同時にタイマー１４がカウントを開始（Ｓ１０１）し、５０［Ｈｚ］以上２００［Ｈｚ］以下の範囲内から選択された、例えば１７０［Ｈｚ］の第４の周波数に固定された交流電流を高圧水銀ランプ４に供給する（Ｓ１０２）。ここで、タイマー１４のタイマー時間は例えば１８０［ｓ］に設定されており、タイマー時間が１８０［ｓ］を経過するまでは第４の周波数（１７０［Ｈｚ］）の交流電流を供給し続ける（Ｓ１０３：ＮＯ）。このタイマー時間１８０［ｓ］は、始動動作後（コールドスタート）から定電力（１８０［Ｗ］）による点灯に移行した後の所定時間までの間の時間として設定されている。ここでも、「始動動作後から定電力点灯に移行した後の所定時間までの間」とした場合における「所定時間」は電極１９の突起部２３の成長、維持を適正に行うという観点からあまり長くない方が好ましく、その上限値として例えば始動動作後から３００［ｓ］以下であることが好ましい。
【０１３４】
（４−３）タイマー１４のカウントが１８０［ｓ］を経過すると（Ｓ１０３：ＹＥＳ）、供給する交流電流を第４の周波数（１７０［Ｈｚ］）の交流電流から、周波数を変調制御した交流電流に切り替え（Ｓ１０４）、その後、消灯（点灯スイッチＯＦＦ）されるまでその交流電流を供給し続ける。もちろん、その交流電流とは、上記と同じ、周波数が２０［Ｈｚ］以上２００［Ｈｚ］以下の範囲内から選択された第１の周波数の電流と、周波数が３００［Ｈｚ］以上１０００［Ｈｚ］以下の範囲内から選択された第２の周波数の電流が、各々所定周期が投入されるごとに切り替えられ、第１の周波数よりも低い周波数であって、５［Ｈｚ］以上１５０［Ｈｚ］以下の範囲内から選択された第３の周波数の電流が、第２の周波数の電流の周期に割り込んで所定周期投入される。第３の周波数の電流は第２の周波数の電流の周期が投入されるごとに毎回割り込むものではなく所定の時間間隔を持って割り込みに入るものとする。そして、第１の周波数の電流において、１回当たりの投入周期は０．５周期以上１０周期以内の範囲内であって、第２の周波数の電流において、１回当たりの投入周期は２周期以上２００周期以内の範囲内であって、また第３の周波数の電流において、１回当たりの投入周期は０．５周期以上１５０周期以内の範囲内であり、第３の周波数の電流が第２の周波数の電流に割り込みに入る時間間隔ｔ1は１３０［ｓ］以上３００［ｓ］以下の範囲内である。
【０１３５】
ただし、このタイマー１４のカウントとは関係なく、ランプ電圧が上昇して所定の電圧値（例えば６０［Ｖ］）に達すると、ランプ電力を一定（１８０［Ｗ］）とする定電力制御に移行する。
【０１３６】
本発明の第４の実施形態である高圧放電ランプ装置１は、上述したとおりの係る特徴を有する高圧放電ランプ点灯装置３を備えているので、次のような作用効果を発揮することができる。
【０１３７】
すなわち、（ａ）始動動作後から定電力点灯に移行する前の所定時間までの間、（ｂ）始動動作後から定電力点灯に移行した時点までの間、または（ｃ）始動動作後から定電力点灯に移行した後の所定時間までの間は、電極１９の突起部２３の成長、維持を適正に行いつつ、不要な突起部が形成しないようにするための交流電流の周波数の変調制御が禁止され、５０［Ｈｚ］以上２００［Ｈｚ］以下の範囲内から選択された第４の周波数の電流が供給されているので、非常に耳障りな騒音が発生するのを抑えることができる。よって、なるたけ静音を実現することができる。もちろん、この間に交流電流の周波数の変調制御をしても突起部２３の制御にはさほど寄与しないので、突起部２３がもたらす効果に悪影響を及ぼさない。そして、これら一定期間の経過後には交流電流の周波数の変調制御を行うことによって突起部２３の成長、維持を適正に行うことができ、その結果、アークの輝点移動によるフリッカの発生を防止することができ、またアークが初期の位置からずれることによる反射鏡２６からの射出光の低下を抑えることができる。
【０１３８】
ところで、以上のとおり係る特徴によれば、安定点灯中、ランプ電圧が所望とするランプ電圧、例えば５７［Ｖ］を下回るような低電圧状態の発生頻度または発生時間を抑制することができるが、完全とまでは言い切れないこともあり、実際の装置設計においては稀なケースとして低電圧状態に陥った場合も想定して設計する必要がある。万一電極１９の突起部２３が成長し過ぎて低電圧状態になった場合に高圧水銀ランプ４に所望とする電力を投入すると過剰なランプ電流が流れることになり高圧水銀ランプ４の電極は損耗し場合によっては高圧水銀ランプ４自体が破裂に至ることもある。したがって、低電圧状態になった場合は高圧水銀ランプ４に所望とする電力を投入することができず輝度低下等の問題を引き起こす。そのために、その対策として実際の装置設計においては、万一ランプ電圧が一定の値を下回った場合でも、その間、上記した交流電流の周波数の変調制御を禁止させる機能を備えることが好ましい。そして、万一上記した交流電流の周波数の変調制御を禁止させた場合は、３００［Ｈｚ］以上１０００［Ｈｚ］以下の範囲内から選択され、且つ第２の値より少なくとも１０［Ｈｚ］以上高い、例えば３９０［Ｈｚ］に固定された第５の周波数の電流を供給することが好ましい。その結果、電極１９の突起部２３の成長を抑止することができる。
【０１３９】
（第５の実施形態）
次に、本発明の第５の実施形態であるプロジェクタについて、図２１および図２２を参照して説明する。
【０１４０】
図２１は、第１の実施形態である高圧放電ランプ装置１が用いられたプロジェクタの一例として、フロントプロジェクタ３５の概略構成を示す。フロントプロジェクタ３５は、その前方に設置したスクリーン（図示せず）に向けて画像を投影するタイプのプロジェクタである。
【０１４１】
なお、図２１は、後述する筐体３６の天板を取り除いた状態を示している。
【０１４２】
フロントプロジェクタ３５は、筐体３６に収納された、光源であるランプユニット２７、光学ユニット３７、制御ユニット３８、投射レンズ３９、冷却ファンユニット４０、および電源ユニット４１等から構成されている。光学ユニット３７は、入射光を変調して画像を形成する画像形成ユニット、およびランプユニット２７からの照明光をその画像形成ユニットに照射する照明ユニット（いずれも図示せず）を有している。照明ユニットは、３色のカラーフィルタからなるカラーホイール等（図示せず）を有し、照明光を３原色に分解して画像形成ユニットに照射する。制御ユニット３８は、画像形成ユニット等を駆動制御する。投射レンズ３９は、画像形成ユニットにより変調されて形成された光学像を拡大投射する。電源ユニット４１は、上記した高圧放電ランプ点灯装置３を含み、商用電源から供給される電力を、制御ユニット３８やランプユニット２７に適した電力に変換してそれぞれ供給する。
【０１４３】
また、第１の実施形態である高圧放電ランプ装置１は、図２２に示す投射型画像表示装置の一例であるリアプロジェクタ４２の光源としても用いることができる。リアプロジェクタ４２は、ランプユニット２７、光学ユニット、投射レンズ、ミラーおよび高圧放電ランプ点灯装置（いずれも図示せず）等が筐体４３内に収納された構成を有している。投射レンズから投射されミラーで反射された画像が、透過式スクリーン４４の裏側から投影されて画像表示される。
【０１４４】
以上のような本発明の第５の実施形態であるプロジェクタに係る構成によれば、騒音の発生が少ないプロジェクタを実現することができる。
【０１４５】
なお、上記第１〜第３の実施形態では、交流電流の周波数を変調制御する際に第１の値と第２の値との二種類の異なる周波数が組み合わせた場合について説明したが、これに限らず三種類以上の異なる周波数からなる変調制御を行った場合でも上記と同様の作用効果を得ることができる。
【０１４６】
また、上記第５の実施形態では、高圧放電ランプ装置として第１の実施形態の高圧放電ランプ装置１を用いた場合について説明したが、もちろん第２〜第４の実施形態の高圧放電ランプ装置１を用いた場合でも上記と同様の作用効果を得ることができる。
【０１４７】
また、上記各実施形態では、高圧水銀ランプとして定電力１８０［Ｗ］の高圧水銀ランプ４を用いた場合について説明したが、これに限らず定電力が例えば８０［Ｗ］以上１０００［Ｗ］以下の範囲内の高圧水銀ランプを用いた場合でも上記と同様の作用効果を得ることができる。その場合、定電流制御時のランプ電流の値は３［Ａ］に限定されるものではなく、高圧水銀ランプの設計に応じて種々に決定される。また定電力制御に移行するときのランプ電圧は上記したように６０［Ｖ］ではなく、その種々の定電流制御時のランプ電流と定電力の値に応じて決定される。
【０１４８】
また、上記各実施形態では、高圧放電ランプとして具体的に高圧水銀ランプ４を用いた場合について説明したが、これに限らず公知のシュートアーク型のメタルハライドランプ等を用いた場合でも上記と同様の作用効果を得ることができる。
【０１４９】
なお、近時、この種の高圧放電ランプ装置１には、使用する空間の大きさ等に応じて段階的にランプ電力を切り替える調光機能が付与されているものがある。つまり、通常モードではランプ電力を定電力（例えば１８０［Ｗ］）に一定にして定電力制御を行うが、調光モードではランプ電力を切り替えて例えば１００［Ｗ］に一定にして定電力制御を行うというものである。各実施形態に係る高圧放電ランプ装置１がこのように調光機能を有する場合、上記した「定電力」とは通常モードに設定されているときはその通常モードの定電力を、調光モードに設定されているときはその調光モードの定電力をそれぞれ示す。
【産業上の利用可能性】
【０１５０】
本発明は、なるたけ静音を要する用途にも適用することができる。
【図面の簡単な説明】
【０１５１】
【図１】本発明の第１の実施形態である高圧放電ランプ装置の構成を示すブロック図
【図２】同じく高圧放電ランプ装置に含まれる高圧水銀ランプの発光管の一部切欠正面断面図
【図３】同じく高圧放電ランプ装置に含まれる高圧水銀ランプの電極の構成を示す正面図
【図４】同じく高圧放電ランプ装置に含まれるランプユニットの構成を示す一部切欠斜視図
【図５】同じく高圧放電ランプ装置に含まれる高圧放電ランプ点灯装置における交流電流の周波数の制御内容を示すフローチャート
【図６】同じく高圧放電ランプ装置において、点灯経過時間に伴うランプ電力の変化を示す図
【図７】同じく高圧放電ランプ装置の変形例１において、点灯経過時間に伴うランプ電力の変化を示す図
【図８】同じく高圧放電ランプ装置の変形例２において、点灯経過時間に伴うランプ電力の変化を示す図
【図９】同じく高圧放電ランプ装置の変形例１に含まれる高圧放電ランプ点灯装置における交流電流の周波数の制御内容を示すフローチャート
【図１０】同じく高圧放電ランプ装置の変形例２に含まれる高圧放電ランプ点灯装置における交流電流の周波数の制御内容を示すフローチャート
【図１１】等ラウドネス曲線を示す図
【図１２】本発明の第２の実施形態である高圧放電ランプ装置に含まれる高圧放電ランプ点灯装置における交流電流の周波数の制御内容を示すフローチャート
【図１３】同じく高圧放電ランプ装置の変形例３に含まれる高圧放電ランプ点灯装置における交流電流の周波数の制御内容を示すフローチャート
【図１４】同じく高圧放電ランプ装置の変形例４に含まれる高圧放電ランプ点灯装置における交流電流の周波数の制御内容を示すフローチャート
【図１５】本発明の第３の実施形態である高圧放電ランプ装置に含まれる高圧放電ランプ点灯装置における交流電流の周波数の制御内容を示すフローチャート
【図１６】同じく高圧放電ランプ装置の変形例に含まれる高圧放電ランプ点灯装置における交流電流の周波数の制御内容を示すフローチャート
【図１７】本発明の第４の実施形態である高圧放電ランプ装置に含まれる高圧放電ランプ点灯装置における交流電流の周波数の制御内容を示すフローチャート
【図１８】同じく高圧放電ランプ装置において高圧水銀ランプに供給される交流電流の波形の一例を示す図
【図１９】同じく高圧放電ランプ装置の変形例５に含まれる高圧放電ランプ点灯装置における交流電流の周波数の制御内容を示すフローチャート
【図２０】同じく高圧放電ランプ装置の変形例６に含まれる高圧放電ランプ点灯装置における交流電流の周波数の制御内容を示すフローチャート
【図２１】本発明の第５の実施形態であるプロジェクタとして、フロントプロジェクタの構成を示す一部切欠斜視図
【図２２】同じくプロジェクタとして、リアプロジェクタの構成を示す斜視図
【符号の説明】
【０１５２】
１  高圧放電ランプ装置
２  ＤＣ電源回路
３  高圧放電ランプ点灯装置
４  高圧水銀ランプ
５  ＤＣ／ＤＣコンバータ
６  ＤＣ／ＡＣインバータ
７  高電圧発生部
８  ランプ電流検出部
９  ランプ電圧検出部
１０  制御回路
１１  マイコン
１２  ＰＷＭ制御回路
１３  点灯判別回路
１４  タイマー
１５  発光管
１６  発光部
１７  封止部
１８  放電空間
１９  電極
２０  電極棒
２１  電極コイル
２２  電極の先端部
２３  突起部
２４  金属箔
２５  外部リード線
２６  反射鏡
２７  ランプユニット
２８  反射面
２９  電源接続用端子
３０  口金
３１  電力供給線
３２  ネック部
３３  接着剤
３４  貫通孔
３５  フロントプロジェクタ
３６，４３  筐体
３７  光学ユニット
３８  制御ユニット
３９  投射レンズ
４０  冷却ファンユニット
４１  電源ユニット
４２  リアプロジェクタ
４４  透過式スクリーン
【図１】
0004877263.tif 000002
【図２】
0004877263.tif 000003
【図３】
0004877263.tif 000004
【図４】
0004877263.tif 000005
【図５】
0004877263.tif 000006
【図６】
0004877263.tif 000007
【図７】
0004877263.tif 000008
【図８】
0004877263.tif 000009
【図９】
0004877263.tif 000010
【図１０】
0004877263.tif 000011
【図１１】
0004877263.tif 000012
【図１２】
0004877263.tif 000013
【図１３】
0004877263.tif 000014
【図１４】
0004877263.tif 000015
【図１５】
0004877263.tif 000016
【図１６】
0004877263.tif 000017
【図１７】
0004877263.tif 000018
【図１８】
0004877263.tif 000019
【図１９】
0004877263.tif 000020
【図２０】
0004877263.tif 000021
【図２１】
0004877263.tif 000022
【図２２】
0004877263.tif 000023